(57)【要約】      （修正有）【課題】ストレージ装置と接続する情報処理装置に応じた情報の設定作業の効率化を図る。【解決手段】移行先ストレージ装置１０２は、移行元ストレージ装置１０１を使用するホスト装置１０３の識別情報を用いて、移行元ストレージ装置１０１にコマンドを発行する。次に、移行先ストレージ装置１０２は、移行元ストレージ装置１０１を使用するホスト装置１０３の識別情報を用いて発行されたコマンドに対して移行元ストレージ装置１０１が生成するレスポンスを、移行元ストレージ装置１０１から取得する。そして、移行先ストレージ装置１０２は、移行元ストレージ装置１０１に設定されていたホスト固有設定情報に従って生成されたレスポンスに基づいて、移行元ストレージ装置１０１に設定されていたホスト固有設定情報を特定する。次に、移行先ストレージ装置１０２は、特定したホスト固有設定情報を自装置に設定する。【選択図】図１
2014071534.tif 000002
【特許請求の範囲】
【請求項１】
ネットワークを介して接続された移行元ストレージ装置に記憶されているデータの移行先となるストレージ装置において、
前記移行元ストレージ装置とネットワークを介して接続する情報処理装置の識別情報を記憶する記憶部と、
前記記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得する取得部と、
前記取得部によって取得された前記レスポンスに基づいて、前記コマンドに対応する前記情報処理装置に応じたパラメータ情報を、前記識別情報と関連付けて自装置に設定する設定部と、
を有することを特徴とするストレージ装置。
【請求項２】
前記記憶部は、
前記識別情報とは異なる他の識別情報を記憶しており、
前記取得部は、
前記記憶部に記憶されている前記他の識別情報を用いて、前記コマンドを前記移行元ストレージ装置に発行して、前記コマンドに対するレスポンスを前記移行元ストレージ装置から取得し、
前記設定部は、
前記取得部によって取得された前記レスポンスに基づいて、前記コマンドに対応する前記情報処理装置とは異なる他の情報処理装置に応じたパラメータ情報を、前記識別情報と関連付けて前記自装置に設定することを特徴とする請求項１に記載のストレージ装置。
【請求項３】
前記取得部は、
前記識別情報を用いて、前記移行元ストレージ装置の記憶領域のうちの前記情報処理装置に割り当てられた記憶領域を含む記憶装置の装置情報を要求するコマンドを前記移行元ストレージ装置に発行して、前記コマンドに対するレスポンスを前記移行元ストレージ装置から取得することを特徴とする請求項１または２に記載のストレージ装置。
【請求項４】
前記取得部は、
前記識別情報を用いて、前記移行元ストレージ装置の記憶領域のうちの前記情報処理装置に割り当てられた記憶領域に記憶されているデータを要求するコマンドを前記移行元ストレージ装置に発行して、前記コマンドに対するレスポンスを前記移行元ストレージ装置から取得し、
前記設定部は、
前記取得部によって取得された前記レスポンスに含まれるデータを、前記自装置の記憶領域のうちの前記情報処理装置に割り当てられた記憶領域に書き込むことを特徴とする請求項１〜３のいずれか一つに記載のストレージ装置。
【請求項５】
前記取得部は、
前記移行元ストレージ装置の記憶領域のうちの所定の記憶領域が前記情報処理装置によってリザーブされている場合に、前記他の識別情報を用いて、前記記憶領域を含む記憶装置が使用可能か否かを問い合わせるコマンドを前記移行元ストレージ装置に発行して、前記コマンドに対するレスポンスを前記移行元ストレージ装置から取得することを特徴とする請求項２に記載のストレージ装置。
【請求項６】
ネットワークを介して接続された移行元ストレージ装置に記憶されているデータの移行先となるストレージ装置が、
前記移行元ストレージ装置とネットワークを介して接続する情報処理装置の識別情報を記憶する記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得し、
取得した前記レスポンスに基づいて、前記コマンドに対応する前記情報処理装置に応じたパラメータ情報を、前記識別情報と関連付けて自装置に設定する、
処理を実行することを特徴とする設定方法。
【請求項７】
ネットワークを介して接続された移行元ストレージ装置に記憶されているデータの移行先となるストレージ装置に、
前記移行元ストレージ装置とネットワークを介して接続する情報処理装置の識別情報を記憶する記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得し、
取得した前記レスポンスに基づいて、前記コマンドに対応する前記情報処理装置に応じたパラメータ情報を、前記識別情報と関連付けて自装置に設定する、
処理を実行させることを特徴とする設定プログラム。
【発明の詳細な説明】
【技術分野】
【０００１】
本発明は、ストレージ装置、設定方法および設定プログラムに関する。
【背景技術】
【０００２】
従来、使用中のストレージ装置が経年劣化した場合などに、使用中のストレージ装置を新しいストレージ装置に交換するリプレイス作業が行われる。リプレイス作業では、使用中のストレージ装置から新しいストレージ装置へのデータ移行が実施される。データ移行方法としては、例えば、ストレージ装置同士を接続して、ストレージ装置間で直接データ移行を行う方法が知られている。
【０００３】
また、リプレイス作業では、新たなストレージ装置での運用を開始するために、使用中のストレージ装置と接続するホスト装置に応じた情報を新たなストレージ装置に設定する設定作業が実施される。ホスト装置に応じた情報としては、例えば、ホスト装置からのコマンドに対するストレージ装置のレスポンスに関する情報などがある。
【０００４】
関連する先行技術としては、例えば、切替前システムが、切替前システムから切替後システムにユーザデータや引継ぎ情報を送信し、切替後システムが、受信したユーザデータや引継ぎ情報を記憶する技術がある。また、第１のストレージ装置が、自装置の第１の論理ボリュームに設定されたターゲットの情報を第２のストレージ装置に送信し、第２のストレージ装置が、受信した情報を用いて、第２のストレージ装置の第２の論理ユニットにターゲットを設定する技術がある。
【先行技術文献】
【特許文献】
【０００５】
【特許文献１】特開２０１０−０７９６７８号公報
【特許文献２】特開２００５−３５３０３５号公報
【発明の概要】
【発明が解決しようとする課題】
【０００６】
しかしながら、従来技術では、ストレージ装置の交換時に、使用中のストレージ装置と接続する情報処理装置（例えば、ホスト装置）に応じた情報を新たなストレージ装置に設定する設定作業に手間がかかるという問題がある。
【０００７】
一つの側面では、本発明は、ストレージ装置と接続する情報処理装置に応じた情報の設定作業の効率化を図ることを目的とする。
【課題を解決するための手段】
【０００８】
本発明の一側面によれば、ネットワークを介して接続された移行元ストレージ装置に記憶されているデータの移行先となるストレージ装置が、前記移行元ストレージ装置とネットワークを介して接続する情報処理装置の識別情報を用いて、前記情報処理装置から前記移行元ストレージ装置に発行されるコマンドを前記移行元ストレージ装置に発行して、前記コマンドに対するレスポンスを前記移行元ストレージ装置から取得し、取得した前記レスポンスに基づいて、前記コマンドに対応する前記情報処理装置に応じたパラメータ情報を、前記識別情報と関連付けて自装置に設定するストレージ装置、設定方法および設定プログラムが提案される。
【発明の効果】
【０００９】
本発明の一態様によれば、ストレージ装置と接続する情報処理装置に応じた情報の設定作業の効率化を図ることができるという効果を奏する。
【図面の簡単な説明】
【００１０】
【図１】図１は、実施の形態にかかる設定方法の一実施例を示す説明図である。
【図２】図２は、ストレージシステム２００のシステム構成例を示す説明図である。
【図３】図３は、ＲＡＩＤ装置のハードウェア構成例を示すブロック図である。
【図４】図４は、移行設定ファイルの一例を示す説明図である。
【図５】図５は、ホストテーブルの記憶内容の一例を示す説明図である。
【図６】図６は、ＬＵＮマスキングテーブルの記憶内容の一例を示す説明図である。
【図７】図７は、ホスト固有設定テーブルの記憶内容の一例を示す説明図である。
【図８】図８は、移行先ＲＡＩＤ装置＃Ｄの機能的構成例を示すブロック図である。
【図９】図９は、移行先ＲＡＩＤ装置＃Ｄによるホスト固有設定情報の設定の具体例を示す説明図（その１）である。
【図１０】図１０は、移行先ＲＡＩＤ装置＃Ｄによるホスト固有設定情報の設定の具体例を示す説明図（その２）である。
【図１１】図１１は、移行先ＲＡＩＤ装置＃Ｄによるホスト固有設定情報の設定の具体例を示す説明図（その３）である。
【図１２】図１２は、移行先ＲＡＩＤ装置＃Ｄによるホスト固有設定情報の設定の具体例を示す説明図（その４）である。
【図１３】図１３は、移行先ＲＡＩＤ装置＃Ｄによるホスト固有設定情報の設定の具体例を示す説明図（その５）である。
【図１４】図１４は、移行先ＲＡＩＤ装置＃Ｄによるホスト固有設定情報の設定の具体例を示す説明図（その６）である。
【図１５】図１５は、移行先ＲＡＩＤ装置＃Ｄによるホスト固有設定情報の設定の具体例を示す説明図（その７）である。
【図１６】図１６は、移行先ＲＡＩＤ装置＃Ｄによるホスト固有設定情報の設定の具体例を示す説明図（その８）である。
【図１７】図１７は、移行先ＲＡＩＤ装置＃Ｄによる移行処理の処理手順の一例を示すフローチャートである。
【図１８】図１８は、ホスト固有設定テーブル７００の設定処理の処理手順の一例を示すシーケンス図である。
【発明を実施するための形態】
【００１１】
以下に添付図面を参照して、本発明にかかるストレージ装置、設定方法および設定プログラムの実施の形態を詳細に説明する。
【００１２】
（設定方法の一実施例）
図１は、実施の形態にかかる設定方法の一実施例を示す説明図である。図１において、ストレージ装置１０１，１０２は、１または複数の記憶装置を有するコンピュータである。記憶装置は、例えば、ハードディスク、光ディスク、フラッシュメモリ、磁気テープ等の記憶媒体を含む。情報処理装置１０３は、ストレージ装置１０１，１０２に接続して、ストレージ装置１０１，１０２の記憶領域を使用するコンピュータである。情報処理装置１０３は、例えば、サーバである。
【００１３】
ここで、使用中のストレージ装置が経年劣化した場合などに、使用中のストレージ装置を新しいストレージ装置に交換するリプレイス作業が行われることがある。ここでは、ストレージ装置１０１をストレージ装置１０２に交換する場合を想定する。この場合、ストレージ装置１０１のデータがストレージ装置１０２に移行され、また、移行先となるストレージ装置１０２と接続する情報処理装置１０３に応じたパラメータ情報が、移行先となるストレージ装置１０２に設定される。
【００１４】
パラメータ情報とは、移行先となるストレージ装置１０２での運用を開始するために、移行先となるストレージ装置１０２に設定される情報である。具体的には、例えば、パラメータ情報は、情報処理装置１０３から発行されるコマンドに対するレスポンスを生成するための情報である。
【００１５】
情報処理装置１０３から発行されるコマンドとしては、例えば、情報処理装置１０３に割り当てられている記憶領域（ボリューム）を含む記憶装置の装置情報を要求するコマンドがある。また、移行先となるストレージ装置１０２と情報処理装置１０３との通信に用いられる通信経路（パス）の経路情報を要求するコマンドなどがある。
【００１６】
すなわち、パラメータ情報は、移行先となるストレージ装置１０２と接続する情報処理装置１０３ごとに異なる情報であり、情報処理装置１０３ごとに設定されるものである。このため、移行先となるストレージ装置１０２への情報処理装置１０３に応じたパラメータ情報の設定作業を人手により行うと手間がかかる。また、パラメータ情報の設定作業は、設定を誤るとパス切替異常や情報処理装置１０３からのボリューム認識不可等の問題が発生する可能性があるため作業者にとって高負荷な作業である。
【００１７】
なお、データ移行時に、例えば、移行元のストレージ装置と移行先のストレージ装置とが自律的に通信して、移行元のストレージ装置に設定されているパラメータ情報を移行先のストレージ装置に設定することが考えられる。しかし、移行元のストレージ装置と移行先のストレージ装置の両方に、パラメータ情報を設定するための動作を実現する特定の機能を実装することになり作業者の手間やコストがかかる。
【００１８】
そこで、本実施の形態では、移行先となるストレージ装置１０２が、情報処理装置１０３の識別情報を用いて、移行元となるストレージ装置１０１にコマンドを発行してレスポンスを取得する。これにより、移行先となるストレージ装置１０２が情報処理装置１０３のふりをして移行元となるストレージ装置１０１からパラメータ情報を聞き出して、情報処理装置１０３に応じたパラメータ情報の設定を自動化する。
【００１９】
以下、移行先となるストレージ装置１０２が移行元となるストレージ装置１０１のパラメータ情報を自装置に設定する場合を例に挙げて、ストレージ装置１０２の設定処理の一実施例について説明する。
【００２０】
図１の例では、まず、ＣＥ（Ｃｕｓｔｏｍｅｒ  Ｅｎｇｉｎｅｅｒ）等の作業者は、ストレージ装置１０１と情報処理装置１０３との接続を切断する。なお、接続の切断とは、例えば、ストレージ装置１０１と情報処理装置１０３と間の通信線を取り外すなどの物理的な接続の切断であってもよいし、ストレージ装置１０１と情報処理装置１０３との論理的な接続の切断であってもよい。次に、作業者は、ストレージ装置１０１のポートＰ１とストレージ装置１０２のポートＰ２とを接続する。
【００２１】
そして、作業者は、ストレージ装置１０２に設定処理の開始指示を入力する。なお、設定処理の開始指示は、例えば、作業者が使用するノートＰＣ（Ｐｅｒｓｏｎａｌ  Ｃｏｍｐｕｔｅｒ）やストレージ装置１０２の操作ボタンなどを用いた作業者の操作入力により入力される。
【００２２】
（１）ストレージ装置１０２は、設定処理の開始指示を受け付けると、ストレージ装置１０２と接続された自装置のポートＰ２をイニシエーターモードに設定する。ここで、イニシエーターモードとは、ＳＣＳＩ（Ｓｍａｌｌ  Ｃｏｍｐｕｔｅｒ  Ｓｙｓｔｅｍ  Ｉｎｔｅｒｆａｃｅ）コマンドを発行可能な動作形式である。ＳＣＳＩとは、インターフェース規格である。以下の説明では、イニシエーターモードに設定されたポートを「イニシエーターポート」と表記する場合がある。
【００２３】
（２）ストレージ装置１０２は、情報処理装置１０３の識別情報を、イニシエーターポートＰ２の識別情報として設定する。ここで、情報処理装置１０３の識別情報とは、例えば、ストレージ装置１０１のポートＰ１と接続されていた情報処理装置１０３のポートＰ３のＷＷＮ（Ｗｏｒｌｄ  Ｗｉｄｅ  Ｎａｍｅ）「ｘｘｘ」である。
【００２４】
これにより、ストレージ装置１０２は、イニシエーターポートＰ２から情報処理装置１０３のＷＷＮ「ｘｘｘ」を含むＳＣＳＩコマンドを発行した場合に、当該コマンドに対するレスポンスをストレージ装置１０１から受信することができる。
【００２５】
（３）ストレージ装置１０２は、イニシエーターポートＰ２を介して、ストレージ装置１０１に、情報処理装置１０３のＷＷＮ「ｘｘｘ」を含むＳＣＳＩコマンドを発行する。これにより、ストレージ装置１０２は、情報処理装置１０３が発行元となるＳＣＳＩコマンドを、ストレージ装置１０１に発行することができる。
【００２６】
（４）ストレージ装置１０１は、ストレージ装置１０２からＳＣＳＩコマンドを受信した場合、自装置に設定されている情報処理装置１０３に応じたパラメータ情報に基づいて、受信したＳＣＳＩコマンドに対するレスポンスを生成する。そして、ストレージ装置１０１は、生成したレスポンスを情報処理装置１０３に送信する。
【００２７】
（５）ストレージ装置１０２は、ストレージ装置１０１からレスポンスを受信した場合、受信したレスポンスに基づいて、情報処理装置１０３に応じたパラメータ情報を生成する。そして、ストレージ装置１０２は、生成した情報処理装置１０３に応じたパラメータ情報を自装置に設定する。
【００２８】
このように、ストレージ装置１０２によれば、情報処理装置１０３の識別情報を用いて、移行元となるストレージ装置１０１にＳＣＳＩコマンドを発行してレスポンスを取得することができる。また、ストレージ装置１０２によれば、移行元となるストレージ装置１０１から取得したレスポンスに基づいて、情報処理装置１０３に応じたパラメータ情報を生成して自装置に設定することができる。
【００２９】
これにより、移行先となるストレージ装置１０２が情報処理装置１０３のふりをして移行元となるストレージ装置１０１からパラメータ情報を取り出して、情報処理装置１０３に応じたパラメータ情報の設定を自動化することができる。この結果、リプレイス作業時の作業者の作業負荷を低減させるとともに、パラメータ情報の誤設定を防ぐことができ、リプレイス作業の効率化を図ることができる。
【００３０】
また、移行元となるストレージ装置１０１には新しい機能を実装しなくてもよいため、移行元および移行先の両方のストレージ装置に自動設定用の機能を実装する場合に比べて、作業者の手間やコストを削減することができる。
【００３１】
なお、ストレージ装置１０１，１０２間のデータ移行およびストレージ装置１０２への情報処理装置１０３に応じたパラメータ情報の設定が完了した場合、例えば、作業者により、ストレージ装置１０２のポートＰ２と情報処理装置１０３のポートＰ３が接続される。この結果、情報処理装置１０３は、ストレージ装置１０１と同様にストレージ装置１０２を使用することができる。
【００３２】
以下の説明では、ストレージ装置（例えば、図１に示したストレージ装置１０１，１０２）を、複数のディスク装置によりデータの冗長性を確保するＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）装置によって実現する場合を例に挙げて説明する。
【００３３】
（ストレージシステム２００のシステム構成例）
図２は、ストレージシステム２００のシステム構成例を示す説明図である。図２において、ストレージシステム２００は、移行元ＲＡＩＤ装置＃Ｓと、移行先ＲＡＩＤ装置＃Ｄと、ホスト装置＃Ａと、ホスト装置＃Ｂと、を含む。ここで、移行元ＲＡＩＤ装置＃Ｓ，移行先ＲＡＩＤ装置＃Ｄは、例えば、図１に示したストレージ装置１０１，１０２に相当する。また、ホスト装置＃Ａ，＃Ｂは、例えば、図１に示した情報処理装置１０３に相当する。
【００３４】
移行元ＲＡＩＤ装置＃Ｓ（図２中、「旧ＲＡＩＤ」）は、ネットワーク２１０を介して、ホスト装置＃Ａ，＃Ｂと接続されている。図２の例では、ネットワーク２１０は、信号線、スイッチＳｗ＃０およびスイッチＳｗ＃１により実現されている。スイッチＳｗ＃０およびスイッチＳｗ＃１は、データを中継する装置であって、例えば、ＦＣ（Ｆｉｂｒｅ  Ｃｈａｎｎｅｌ）スイッチである。
【００３５】
移行元ＲＡＩＤ装置＃Ｓは、自装置内のディスク装置を使用して、論理ボリュームＶｏｌ＃０〜＃３を形成している。移行元ＲＡＩＤ装置＃Ｓは、論理ボリュームＶｏｌ＃０と論理ボリュームＶｏｌ＃１を、ホスト装置＃Ａに割り当てて使用させている。移行元ＲＡＩＤ装置＃Ｓは、論理ボリュームＶｏｌ＃２と論理ボリュームＶｏｌ＃３を、ホスト装置＃Ｂに割り当てて使用させている。移行元ＲＡＩＤ装置＃Ｓには、各ホスト装置＃Ａ，＃Ｂに応じたパラメータ情報（以下、「ホスト固有設定情報」と称す）が設定されている。
【００３６】
ホスト装置＃Ａは、２つのポートを有し、各ポートに応じた識別情報としてＷＷＮ「＃Ａ１，＃Ａ２」を記憶している。ホスト装置＃Ａは、ネットワーク２１０を介して、移行元ＲＡＩＤ装置＃Ｓと接続されている。ホスト装置＃Ａは、移行元ＲＡＩＤ装置＃Ｓ内の論理ボリュームＶｏｌ＃０と論理ボリュームＶｏｌ＃１とを使用している。
【００３７】
ホスト装置＃Ｂは、２つのポートを有し、各ポートに応じた識別情報としてＷＷＮ「＃Ｂ１，＃Ｂ２」を記憶している。ホスト装置＃Ｂは、ネットワーク２１０を介して、移行元ＲＡＩＤ装置＃Ｓと接続されている。ホスト装置＃Ｂは、移行元ＲＡＩＤ装置＃Ｓ内の論理ボリュームＶｏｌ＃２と論理ボリュームＶｏｌ＃３とを使用している。
【００３８】
また、移行先ＲＡＩＤ装置＃Ｄ（図２中、「新ＲＡＩＤ」）は、自装置内のディスク装置を使用して、論理ボリュームＶｏｌ＃４〜＃７を形成している。移行元ＲＡＩＤ装置＃Ｓを移行先ＲＡＩＤ装置＃Ｄに交換するリプレイス作業が行われる場合、作業者は、移行元ＲＡＩＤ装置＃Ｓとホスト装置＃Ａ，＃Ｂとの接続を切断して、移行元ＲＡＩＤ装置＃Ｓと移行先ＲＡＩＤ装置＃Ｄとを接続する。
【００３９】
そして、移行先ＲＡＩＤ装置＃Ｄは、移行元ＲＡＩＤ装置＃Ｓのデータを自装置に移行し、移行元ＲＡＩＤ装置＃Ｓに設定されているホスト装置＃Ａ，＃Ｂのホスト固有設定情報を自装置に設定する。移行先ＲＡＩＤ装置＃Ｄのデータ移行およびホスト固有設定情報の設定が完了した場合、作業者は、移行元ＲＡＩＤ装置＃Ｓと移行先ＲＡＩＤ装置＃Ｄとの接続を切断して、ネットワーク２１０を介して、移行先ＲＡＩＤ装置＃Ｄとホスト装置＃Ａ，＃Ｂを接続する。
【００４０】
なお、図２の例では、ホスト装置が２台の場合を例に挙げて説明したが、これに限らない。例えば、ホスト装置は、３台以上あってもよい。
【００４１】
（ＲＡＩＤ装置のハードウェア構成例）
【００４２】
図３は、ＲＡＩＤ装置のハードウェア構成例を示すブロック図である。図３において、ＲＡＩＤ装置（図２に示した移行元ＲＡＩＤ装置＃Ｓ、移行先ＲＡＩＤ装置＃Ｄ）は、ＣＭ（Ｃｏｎｔｒｏｌ  Ｍｏｄｕｌｅ）３１０と、複数のディスク装置３２０と、を有する。ＣＭ３１０は、ＣＰＵ（Ｃｅｎｔｒａｌ  Ｐｒｏｃｅｓｓｉｎｇ  Ｕｎｉｔ）３１１と、メモリ３１２と、ＣＡ（Ｃｈａｎｎｅｌ  Ａｄａｐｔｅｒ）３１３と、ＦＣ３１４と、を有する。
【００４３】
ＣＰＵ３１１は、ＣＭ３１０の全体の制御を司る。メモリ３１２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有している。具体的には、例えば、フラッシュＲＯＭがＯＳやファームウェアなどのプログラムを記憶し、ＲＯＭがアプリケーションプログラムを記憶し、ＲＡＭがＣＰＵ３１１のワークエリアとして使用される。メモリ３１２に記憶されているプログラムは、ＣＰＵ３１１にロードされることで、コーディングされている処理をＣＰＵ３１１に実行させることになる。
【００４４】
ＣＡ３１３は、外部の装置（例えば、ホスト装置）とのインターフェースを制御する。ＦＣ３１４は、ディスク装置３２０とのインターフェースを制御する。ディスク装置３２０は、ホスト装置がデータを書き込んだり読み出したりする論理ボリュームを実現する。ディスク装置３２０は、例えば、磁気ディスク装置である。
【００４５】
図３の例では、ＲＡＩＤ装置が１つのＣＭ３１０を含む場合を例に挙げて説明したが、これに限らない。例えば、ＲＡＩＤ装置は、２つ以上のＣＭ３１０を含んでもよい。また、ＣＭ３１０がＣＡ３１３を２つ含む場合を例に挙げて説明したが、これに限らない。例えば、ＣＭ３１０は、ＣＡ３１３を３つ以上含んでもよい。ＦＣ３１４についても同様である。
【００４６】
（移行設定ファイル）
次に、図４を用いて、移行設定ファイルの一例について説明する。移行設定ファイルは、例えば、作業者によって移行先ＲＡＩＤ装置＃Ｄに入力されて、メモリ３１２に記憶される。移行設定ファイルは、移行先ＲＡＩＤ装置＃Ｄによって、移行元ＲＡＩＤ装置＃Ｓから移行先ＲＡＩＤ装置＃Ｄにデータを移行する際やホスト固有設定情報を特定する際に参照される。
【００４７】
図４は、移行設定ファイルの一例を示す説明図である。移行設定ファイル４００は、ホストごとにデータ移行に関する情報を含む。図４の例では、移行設定ファイル４００は、ホスト装置＃Ａのデータ移行に関する情報を含む。
【００４８】
データ移行に関する情報は、例えば、ホスト装置＃Ａと接続する移行先ＲＡＩＤ装置＃Ｄのポートの番号である。また、データ移行に関する情報は、例えば、移行元ＲＡＩＤ装置＃ＳのＷＷＮやホスト装置＃ＡのＷＷＮである。また、データ移行に関する情報は、例えば、移行元ＲＡＩＤ装置＃Ｓにおいてホスト装置＃Ａに割り当てられていた論理ボリュームの番号と、当該論理ボリュームに対応する移行先ＲＡＩＤ装置＃Ｄにおける論理ボリュームの番号と、の組み合わせである。論理ボリュームとは、一纏めにされた所定の記憶領域である。論理ボリュームの番号とは、例えば、ＬＵＮ（Ｌｏｇｉｃａｌ  Ｕｎｉｔ  Ｎｕｍｂｅｒ）である。
【００４９】
これにより、移行先ＲＡＩＤ装置＃Ｄは、移行元ＲＡＩＤ装置＃Ｓから自装置にデータを移行する際に使用するホスト装置のＷＷＮを特定することができる。また、移行先ＲＡＩＤ装置＃Ｄは、移行元ＲＡＩＤ装置＃Ｓに設定されているホスト固有設定情報を取得する際に使用するホスト装置のＷＷＮや移行先ＲＡＩＤ装置＃ＤのＷＷＮを特定することができる。また、移行先ＲＡＩＤ装置＃Ｄは、移行元ＲＡＩＤ装置＃Ｓのどの論理ボリュームに記憶されているデータを、自装置内のどの論理ボリュームに移行するかを特定することができる。また、移行先ＲＡＩＤ装置＃Ｄは、ホスト装置＃Ａに、どの論理ボリュームを割り当てればよいかを特定することができる。
【００５０】
（ホストテーブル）
次に、図５を用いて、ホストテーブルの記憶内容の一例について説明する。ホストテーブルは、例えば、メモリ３１２によって実現される。ホストテーブルは、移行先ＲＡＩＤ装置＃Ｄによって、移行先ＲＡＩＤ装置＃Ｄが有する記憶領域を使用する複数のホスト装置の装置ごとに生成される。
【００５１】
図５は、ホストテーブルの記憶内容の一例を示す説明図である。図５に示すように、ホストテーブル５００は、ＬＵＮマスキングテーブルＮｏ項目に関連付けて、ホスト固有設定テーブルＮｏ項目と、ポートＰ＃０項目と、ポートＰ＃１項目と、を有し、各項目に情報が設定されることにより、レコードを構成する。
【００５２】
ＬＵＮマスキングテーブルＮｏ項目には、ホスト装置に対応するＬＵＮマスキングテーブルの識別子が記憶される。ホスト固有設定テーブルＮｏ項目には、ホスト装置に対応するホスト固有設定テーブルの識別子が記憶される。ポートＰ＃０項目には、移行先ＲＡＩＤ装置＃ＤのポートＰ＃０に設定するＷＷＮが記憶される。ポートＰ＃１項目には、移行先ＲＡＩＤ装置＃ＤのポートＰ＃１に設定するＷＷＮが記憶される。
【００５３】
これにより、移行先ＲＡＩＤ装置＃Ｄは、或るホスト装置に対応するＬＵＮマスキングテーブルを特定することができる。また、移行先ＲＡＩＤ装置＃Ｄは、或るホスト装置に対応するホスト固有設定テーブルを特定することができる。
【００５４】
（ＬＵＮマスキングテーブル）
次に、図６を用いて、ＬＵＮマスキングテーブルの記憶内容の一例について説明する。ＬＵＮマスキングテーブルは、例えば、メモリ３１２によって実現される。ＬＵＮマスキングテーブルは、ホスト装置に割り当てている論理ボリュームの番号を記憶する。ＬＵＮマスキングテーブルは、移行先ＲＡＩＤ装置＃Ｄによって、移行先ＲＡＩＤ装置＃Ｄが有する記憶領域を使用する複数のホスト装置の装置ごとに生成される。
【００５５】
図６は、ＬＵＮマスキングテーブルの記憶内容の一例を示す説明図である。図６に示すように、ＬＵＮマスキングテーブル６００は、テーブルＮｏ項目に関連付けて、ＬＵＮ＃０項目と、ＬＵＮ＃１項目と、を有し、各項目に情報が設定されることにより、レコードを構成する。
【００５６】
テーブルＮｏ項目には、ホスト装置に対応する識別子が記憶される。ＬＵＮ＃０項目には、移行元ＲＡＩＤ装置＃Ｓにおいてホスト装置に割り当てられていたＬＵＮ「＃０」の論理ボリュームのデータを移行する移行先ＲＡＩＤ装置＃Ｄの論理ボリュームのＬＵＮが記憶される。ＬＵＮ＃１項目には、移行元ＲＡＩＤ装置＃Ｓにおいてホスト装置に割り当てられていたＬＵＮ「＃１」の論理ボリュームのデータを移行する移行先ＲＡＩＤ装置＃Ｄの論理ボリュームのＬＵＮが記憶される。これにより、移行先ＲＡＩＤ装置＃Ｄは、ホスト装置＃Ａに割り当てている論理ボリュームを特定することができる。
【００５７】
（ホスト固有設定テーブル）
次に、図７を用いて、ホスト固有設定テーブルの記憶内容の一例について説明する。ホスト固有設定テーブルは、例えば、メモリ３１２によって実現される。ホスト固有設定テーブルは、移行先ＲＡＩＤ装置＃Ｄによって特定された移行元ＲＡＩＤ装置＃Ｓに設定されているホスト固有設定情報を記憶する。ホスト固有設定テーブルは、移行先ＲＡＩＤ装置＃Ｄによって、移行先ＲＡＩＤ装置＃Ｄが有する記憶領域を使用する複数のホスト装置の装置ごとに生成される。
【００５８】
図７は、ホスト固有設定テーブルの記憶内容の一例を示す説明図である。図７に示すように、ホスト固有設定テーブル７００は、テーブルＮｏ項目に関連付けて、Ｂｙｔｅ  ０  ｏｆ  Ｉｎｑｕｉｒｙ  Ｒｅｓｐｏｎｓｅ（セキュリティ許可内）項目を有する。また、ホスト固有設定テーブル７００は、テーブルＮｏ項目に関連付けて、Ｂｙｔｅ  ０  ｏｆ  Ｉｎｑｕｉｒｙ  Ｒｅｓｐｏｎｓｅ（セキュリティ許可外）項目を有する。また、ホスト固有設定テーブル７００は、テーブルＮｏ項目に関連付けて、Ｉｎｑｕｉｒｙ  ＶＰＤ  ＩＤ  Ｔｙｐｅ項目と、Ｉｎｑｕｉｒｙ  Ｓｔａｎｄａｒｄ  Ｄａｔａ  Ｖｅｒｓｉｏｎ項目を有する。
【００５９】
また、ホスト固有設定テーブル７００は、テーブルＮｏ項目に関連付けて、Ｒｅｓｅｒｖａｔｉｏｎ  Ｃｏｎｆｌｉｃｔ  Ｒｅｓｐｏｎｓｅ  ｆｏｒ  Ｔｅｓｔ  Ｕｎｉｔ  Ｒｅａｄｙ項目を有する。また、ホスト固有設定テーブル７００は、テーブルＮｏ項目に関連付けて、Ａｓｙｍｍｅｔｒｉｃ／Ｓｙｍｍｅｔｒｉｃ  Ｌｏｇｉｃａｌ  Ｕｎｉｔ  Ａｃｃｅｓｓ項目を有する。そして、ホスト固有設定テーブル７００は、各項目に情報が設定されることにより、レコードを構成する。
【００６０】
テーブルＮｏ項目には、ホスト装置に対応する識別子が記憶される。Ｂｙｔｅ  ０  ｏｆ  Ｉｎｑｕｉｒｙ  Ｒｅｓｐｏｎｓｅ（セキュリティ許可内）項目には、セキュリティ許可内のホスト装置からＩｎｑｕｉｒｙ（Ｓｔａｎｄａｒｄ）コマンドが発行された場合に、Ｉｎｑｕｉｒｙデータに含むべき装置情報が記憶される。装置情報は、例えば、ＩｎｑｕｉｒｙデータのＢｙｔｅ  ０部分に含む。
【００６１】
ここで、Ｉｎｑｕｉｒｙ（Ｓｔａｎｄａｒｄ）コマンドとは、論理ボリュームを指定する情報（例えば、ＬＵＮ）を含み、当該情報が示す論理ボリュームを実現する移行元ＲＡＩＤ装置＃Ｓのデバイス（例えば、ディスク装置３２０）についての装置情報を要求するコマンドである。また、Ｉｎｑｕｉｒｙ（Ｓｔａｎｄａｒｄ）コマンドとは、ＳＣＳＩの版数を示す情報を要求するコマンドでもある。Ｉｎｑｕｉｒｙデータとは、Ｉｎｑｕｉｒｙ（Ｓｔａｎｄａｒｄ）コマンドに対するレスポンスである。Ｂｙｔｅ  ０部分とは、装置情報が含まれる部分であり、Ｉｎｑｕｉｒｙデータの先頭から１バイト分の部分である。セキュリティ許可内のホスト装置とは、移行先ＲＡＩＤ装置＃Ｄが移行先ＲＡＩＤ装置＃Ｄの論理ボリュームを使用させているホスト装置である。装置情報とは、Ｐｅｒｉｐｈｅｒａｌ  ＱｕａｌｉｆｉｅｒやＰｅｒｉｐｈｅｒａｌ  Ｄｅｖｉｃｅ  Ｔｙｐｅである。
【００６２】
Ｐｅｒｉｐｈｅｒａｌ  Ｑｕａｌｉｆｉｅｒとは、Ｉｎｑｕｉｒｙ（Ｓｔａｎｄａｒｄ）コマンドによって指定された論理ボリュームを実現するデバイスの状態を示す３ビットのデータである。Ｐｅｒｉｐｈｅｒａｌ  Ｑｕａｌｉｆｉｅｒは、例えば、「０００」、「００１」、または「０１１」となる。「０００」は、Ｉｎｑｕｉｒｙ（Ｓｔａｎｄａｒｄ）コマンドによって指定された論理ボリュームを実現するデバイスの種別が、Ｐｅｒｉｐｈｅｒａｌ  Ｄｅｖｉｃｅ  Ｔｙｐｅが示す種別であることを示す。「００１」は、Ｉｎｑｕｉｒｙ（Ｓｔａｎｄａｒｄ）コマンドによって指定された論理ボリュームを実現するデバイスの種別が、Ｐｅｒｉｐｈｅｒａｌ  Ｄｅｖｉｃｅ  Ｔｙｐｅが示す種別であるが、論理ボリュームを実現するデバイスが実際には接続されていないことを示す。「０１１」は、Ｉｎｑｕｉｒｙ（Ｓｔａｎｄａｒｄ）コマンドによって指定された論理ボリュームが実際には存在しないことを示す。
【００６３】
Ｐｅｒｉｐｈｅｒａｌ  Ｄｅｖｉｃｅ  Ｔｙｐｅとは、Ｉｎｑｕｉｒｙ（Ｓｔａｎｄａｒｄ）コマンドによって指定された論理ボリュームを実現するデバイスの種別を示す５ビットのデータである。Ｐｅｒｉｐｈｅｒａｌ  Ｄｅｖｉｃｅ  Ｔｙｐｅは、例えば、「０００００」または「００００１」である。「０００００」は、ダイレクトアクセスデバイスを示す。「００００１」は、シーケンシャルアクセスデバイスを示す。
【００６４】
Ｂｙｔｅ  ０  ｏｆ  Ｉｎｑｕｉｒｙ  Ｒｅｓｐｏｎｓｅ（セキュリティ許可外）項目には、セキュリティ許可外の装置からＩｎｑｕｉｒｙ（Ｓｔａｎｄａｒｄ）コマンドが発行された場合のＩｎｑｕｉｒｙデータのＢｙｔｅ  ０部分に含む装置情報が記憶される。セキュリティ許可外のホストとは、移行先ＲＡＩＤ装置＃Ｄが移行先ＲＡＩＤ装置＃Ｄの論理ボリュームを使用させていないホスト装置である。
【００６５】
Ｉｎｑｕｉｒｙ  ＶＰＤ  ＩＤ  Ｔｙｐｅ項目には、ホスト装置からＩｎｑｕｉｒｙ（Ｐａｇｅ８３ｈ）コマンドが発行された場合のレスポンスに含むＶＰＤ  ＩＤ  Ｔｙｐｅが記憶される。ここで、Ｉｎｑｕｉｒｙ（Ｐａｇｅ８３ｈ）コマンドとは、移行元ＲＡＩＤ装置＃Ｓの装置情報を要求するコマンドである。ＶＰＤ  ＩＤ  Ｔｙｐｅとは、装置情報の形式である。Ｉｎｑｕｉｒｙ  Ｓｔａｎｄａｒｄ  Ｄａｔａ  Ｖｅｒｓｉｏｎ項目には、移行元ＲＡＩＤ装置＃ＳにおけるＳＣＳＩの版数が記憶される。
【００６６】
また、或るホスト装置によって論理ボリュームがＲｅｓｅｒｖｅされた後に、他のホスト装置から発行されたＴｅｓｔ  Ｕｎｉｔ  Ｒｅａｄｙコマンドが発行される場合がある。Ｒｅｓｅｒｖａｔｉｏｎ  Ｃｏｎｆｌｉｃｔ  Ｒｅｓｐｏｎｓｅ  ｆｏｒ  Ｔｅｓｔ  Ｕｎｉｔ  Ｒｅａｄｙ項目には、この場合に、レスポンスとしてＲｅｓｅｒｖａｔｉｏｎ  Ｃｏｎｆｌｉｃｔを送信するか否かが記憶される。Ｔｅｓｔ  Ｕｎｉｔ  Ｒｅａｄｙコマンドとは、論理ボリュームの状態がＲｅａｄｙであるか否かを示す情報を要求するコマンドである。Ｒｅａｄｙとは、論理ボリュームがデータの書き込みや読み出しが可能な状態であることを示す。
【００６７】
また、或るホスト装置から発行されたＲｅｐｏｒｔ  Ｔａｒｇｅｔ  Ｐｏｒｔ  Ｇｒｏｕｐｓコマンドが発行される場合がある。Ａｓｙｍｍｅｔｒｉｃ／Ｓｙｍｍｅｔｒｉｃ  Ｌｏｇｉｃａｌ  Ｕｎｉｔ  Ａｃｃｅｓｓ項目には、この場合のレスポンスに含むホスト装置への通信経路の使用方法を示す情報が記憶される。ここで、Ｒｅｐｏｒｔ  Ｔａｒｇｅｔ  Ｐｏｒｔ  Ｇｒｏｕｐｓコマンドとは、ホスト装置への通信経路の使用方法を示す情報を要求するコマンドである。通信経路の使用方法とは、例えば、通信経路が複数ある場合に、データの送受信にどの通信経路を使用するかといった使用方法である。
【００６８】
これにより、移行先ＲＡＩＤ装置＃Ｄは、ホスト装置から自装置にＳＣＳＩコマンドが発行された場合に、ホスト固有設定テーブル７００に記憶されているホスト固有設定情報に従って、ホスト装置にレスポンスを送信することができる。
【００６９】
（ＲＡＩＤ装置の機能的構成例）
次に、図８を用いて、ＲＡＩＤ装置の機能的構成例について説明する。ここでは、ＲＡＩＤ装置の一例として移行先ＲＡＩＤ装置＃Ｄを例に挙げて説明する。図８は、移行先ＲＡＩＤ装置＃Ｄの機能的構成例を示すブロック図である。図８において、移行先ＲＡＩＤ装置＃Ｄは、記憶部８０１と、取得部８０２と、設定部８０３と、を含む。移行先ＲＡＩＤ装置＃Ｄは、移行元となるＲＡＩＤ装置（例えば、移行元ＲＡＩＤ装置＃Ｓ）に記憶されているデータの移行先となるＲＡＩＤ装置である。
【００７０】
記憶部８０１は、移行元となるＲＡＩＤ装置とネットワーク２１０を介して接続するホスト装置の識別情報を記憶する。ここで、移行元となるＲＡＩＤ装置は、リプレイス作業によって移行先ＲＡＩＤ装置＃Ｄと交換されるストレージ装置であって、例えば、上述した移行元ＲＡＩＤ装置＃Ｓである。
【００７１】
ホスト装置は、ＲＡＩＤ装置にデータを書き込んだり、ＲＡＩＤ装置からデータを読み出したりする情報処理装置である。また、ホスト装置とは、セキュリティ許可内の装置であり、例えば、上述したホスト装置＃Ａである。識別情報とは、例えば、上述したＷＷＮであるが、これに限らない。例えば、識別情報とは、ＳＣＳＩネームであってもよい。
【００７２】
記憶部８０１は、例えば、図３に示したメモリ３１２に記憶される移行設定ファイル４００より、その機能を実現する。これにより、取得部８０２は、記憶部８０１に記憶された識別情報を用いて、発行元がセキュリティ許可内のホスト装置となるＳＣＳＩコマンドを発行することができ、宛先がセキュリティ許可内のホスト装置となるレスポンスを取得することができる。
【００７３】
また、記憶部８０１は、ホスト装置の識別情報とは異なる他の識別情報を記憶してもよい。他の識別情報とは、セキュリティ許可外の装置の識別情報であり、例えば、移行先ＲＡＩＤ装置＃ＤのＷＷＮである。これにより、取得部８０２は、記憶部８０１に記憶された他の識別情報を用いて、発行元としてセキュリティ許可外の装置を示すＳＣＳＩコマンドを発行することができ、宛先がセキュリティ許可外の装置となるレスポンスを取得することができる。
【００７４】
取得部８０２は、記憶部８０１に記憶されている識別情報を用いて、ホスト装置から移行元ＲＡＩＤ装置＃Ｓに発行されるコマンドを移行元ＲＡＩＤ装置＃Ｓに発行して、コマンドに対するレスポンスを移行元ＲＡＩＤ装置＃Ｓから取得する。ここで、コマンドとは、例えば、上述したＳＣＳＩコマンドであるが、これに限らない。
【００７５】
取得部８０２は、例えば、図３に示したメモリ３１２に記憶されたプログラムをＣＭ３１０に実行させることにより、または、ＣＡ３１３により、その機能を実現する。これにより、設定部８０３は、移行元ＲＡＩＤ装置＃Ｓにおいてホスト固有設定情報に基づいて生成されたレスポンスから、移行元ＲＡＩＤ装置＃Ｓにおけるホスト固有設定情報を特定することができる。ホスト固有設定情報とは、例えば、上述したホスト固有設定テーブル７００の各項目の内容であって、Ｐｅｒｉｐｈｅｒａｌ  ＱｕａｌｉｆｉｅｒやＰｅｒｉｐｈｅｒａｌ  Ｄｅｖｉｃｅ  Ｔｙｐｅである。
【００７６】
また、取得部８０２は、記憶部８０１に記憶されている他の識別情報を用いて、上述したコマンドを移行元ＲＡＩＤ装置＃Ｓに発行して、コマンドに対するレスポンスを移行元ＲＡＩＤ装置＃Ｓから取得してもよい。これにより、設定部８０３は、移行元ＲＡＩＤ装置＃Ｓにおけるセキュリティ許可外の装置に関するホスト固有設定情報に基づいて生成されたレスポンスから、移行元ＲＡＩＤ装置＃Ｓにおけるホスト固有設定情報を特定することができる。
【００７７】
設定部８０３は、取得部８０２によって取得されたレスポンスに基づいて、コマンドに対応するホスト固有設定情報を、識別情報と関連付けて自装置に設定する。設定部８０３は、例えば、図３に示したメモリ３１２に記憶されたプログラムをＣＭ３１０に実行させることにより、その機能を実現する。これにより、設定部８０３は、移行元ＲＡＩＤ装置＃Ｓに設定されているホスト固有設定情報を、自装置に設定することができる。そして、移行先ＲＡＩＤ装置＃Ｄは、ホスト装置に接続された後、自装置に設定したホスト固有設定情報に従って、ホスト装置から発行されるコマンドに対するレスポンスを生成することができる。
【００７８】
＜ホスト固有設定情報の設定＞
移行先ＲＡＩＤ装置＃Ｄは、上述したように、記憶部８０１と取得部８０２と設定部８０３とによって、自装置へのホスト固有設定情報の設定処理を実現している。以下では、記憶部８０１と取得部８０２と設定部８０３とによって実現されるホスト固有設定情報の設定処理の具体例について説明する。ここでは、記憶部８０１の機能については、上述した機能と同様のため説明を省略する。
【００７９】
取得部８０２は、例えば、ホスト装置＃ＡのＷＷＮ「＃Ａ１」を用いて、移行元ＲＡＩＤ装置＃Ｓの記憶領域のうちのホスト装置＃Ａに割り当てられた記憶領域を含む記憶装置の装置情報を要求するコマンドを移行元ＲＡＩＤ装置＃Ｓに発行してもよい。そして、取得部８０２は、コマンドに対するレスポンスを移行元ＲＡＩＤ装置＃Ｓから取得する。
【００８０】
ここで、ホスト装置＃Ａに割り当てられた記憶領域とは、移行元ＲＡＩＤ装置＃Ｓがホスト装置＃Ａに割り当てた論理ボリュームである。記憶領域を含む記憶装置とは、例えば、論理ボリュームを実現しているデバイス（例えば、上述したディスク装置３２０）である。記憶装置の装置情報とは、例えば、Ｐｅｒｉｐｈｅｒａｌ  Ｑｕａｌｉｆｉｅｒ、およびＰｅｒｉｐｈｅｒａｌ  Ｄｅｖｉｃｅ  Ｔｙｐｅである。装置情報を要求するコマンドとは、例えば、Ｉｎｑｕｉｒｙ（Ｓｔａｎｄａｒｄ）コマンドである。
【００８１】
取得部８０２は、より具体的には、移行設定ファイル４００の中から移行元ＲＡＩＤ装置＃Ｓを使用していたホスト装置＃ＡのＷＷＮ「＃Ａ１」を抽出し、自装置内のイニシエーターポートにホスト装置＃ＡのＷＷＮ「＃Ａ１」を設定する。次に、取得部８０２は、ＷＷＮ「＃Ａ１」を含むＩｎｑｕｉｒｙ（Ｓｔａｎｄａｒｄ）コマンドを、移行元ＲＡＩＤ装置＃Ｓに発行する。そして、取得部８０２は、移行元ＲＡＩＤ装置＃ＳからレスポンスとなるＩｎｑｕｉｒｙデータを取得する。
【００８２】
これにより、取得部８０２は、セキュリティ許可内のホスト装置＃ＡからＩｎｑｕｉｒｙ（Ｓｔａｎｄａｒｄ）コマンドが発行された場合のレスポンスとなるＩｎｑｕｉｒｙデータを取得することができる。
【００８３】
この場合、設定部８０３は、例えば、取得部８０２によってホスト装置＃ＡのＷＷＮ「＃Ａ」を含むＩｎｑｕｉｒｙ（Ｓｔａｎｄａｒｄ）コマンドが発行された結果として取得部８０２によって取得されたＩｎｑｕｉｒｙデータのＢｙｔｅ  ０部分のデータを取得する。次に、設定部８０３は、取得したＢｙｔｅ  ０部分のデータを、移行元ＲＡＩＤ装置＃Ｓにおいてセキュリティ許可内のホスト装置＃Ａからコマンドが発行された場合のホスト固有設定情報として設定されていたデータであると特定する。そして、設定部８０３は、ホスト固有設定テーブル７００のＢｙｔｅ  ０  ｏｆ  Ｉｎｑｕｉｒｙ  Ｒｅｓｐｏｎｓｅ（セキュリティ許可内）項目に、抽出したデータを設定する。
【００８４】
これにより、移行先ＲＡＩＤ装置＃Ｄは、ホスト装置＃Ａから自装置にＩｎｑｕｉｒｙ（Ｓｔａｎｄａｒｄ）コマンドが発行された場合に、設定したホスト固有設定情報を含むＩｎｑｕｉｒｙデータを生成することができ、ホスト装置＃Ａに送信することができる。従って、移行先ＲＡＩＤ装置＃Ｄは、移行元ＲＡＩＤ装置＃Ｓと同様のレスポンスをホスト装置＃Ａに送信することができる。
【００８５】
また、取得部８０２は、例えば、ホスト装置＃ＡのＷＷＮ「＃Ａ１」を用いて、移行元ＲＡＩＤ装置＃Ｓとホスト装置＃Ａとの通信に用いられるインターフェースの規格情報を要求するコマンドを移行元ＲＡＩＤ装置＃Ｓに発行してもよい。そして、取得部８０２は、コマンドに対するレスポンスを移行元ＲＡＩＤ装置＃Ｓから取得する。ここで、通信に用いられるインターフェースの規格とは、例えば、ＳＣＳＩである。インターフェースの規格情報を要求するコマンドとは、例えば、Ｉｎｑｕｉｒｙ（Ｓｔａｎｄａｒｄ）コマンドである。
【００８６】
取得部８０２は、より具体的には、自装置内のイニシエーターポートにホスト装置＃ＡのＷＷＮ「＃Ａ１」を設定する。次に、取得部８０２は、ＷＷＮ「＃Ａ１」を含むＩｎｑｕｉｒｙ（Ｓｔａｎｄａｒｄ）コマンドを、移行元ＲＡＩＤ装置＃Ｓに発行する。そして、取得部８０２は、移行元ＲＡＩＤ装置＃ＳからレスポンスとなるＩｎｑｕｉｒｙデータを取得する。これにより、取得部８０２は、ホスト固有設定情報の特定に使用するＩｎｑｕｉｒｙデータを取得することができる。
【００８７】
この場合、設定部８０３は、例えば、ＩｎｑｕｉｒｙデータのＡＮＳＩ（Ａｍｅｒｉｃａｎ  Ｎａｔｉｏｎａｌ  Ｓｔａｎｄａｒｄｓ  Ｉｎｓｔｉｔｕｔｅ）  Ｖｅｒｓｉｏｎ部分のデータを抽出する。次に、設定部８０３は、抽出したデータから、移行元ＲＡＩＤ装置＃Ｓにおいてホスト固有設定情報として設定されていたＳＣＳＩの版数を特定する。そして、設定部８０３は、ホスト固有設定テーブル７００のＩｎｑｕｉｒｙ  Ｓｔａｎｄａｒｄ  Ｄａｔａ  Ｖｅｒｓｉｏｎ項目に、抽出したＳＣＳＩの版数を設定する。これにより、移行先ＲＡＩＤ装置＃Ｄは、ホスト装置＃Ａと移行元ＲＡＩＤ装置＃Ｓとが通信に使用していたＳＣＳＩの版数を参照して、ホスト装置＃Ａと通信することができる。
【００８８】
また、取得部８０２は、例えば、ホスト装置＃ＡのＷＷＮ「＃Ａ１」を用いて、移行元ＲＡＩＤ装置＃Ｓの装置情報を要求するコマンドを移行元ＲＡＩＤ装置＃Ｓに発行してもよい。そして、取得部８０２は、コマンドに対するレスポンスを移行元ＲＡＩＤ装置＃Ｓから取得する。ここで、移行元ＲＡＩＤ装置＃Ｓの装置情報とは、例えば、移行元ＲＡＩＤ装置＃ＳのＶｅｎｄｅｒ  ＩＤ、およびＰｒｏｄｕｃｔ  ＩＤである。Ｖｅｎｄｅｒ  ＩＤとは、移行元ＲＡＩＤ装置＃Ｓの製造者を示す識別子である。Ｐｒｏｄｕｃｔ  ＩＤとは、移行元ＲＡＩＤ装置＃Ｓの製品番号である。
【００８９】
取得部８０２は、より具体的には、自装置内のイニシエーターポートにホスト装置＃ＡのＷＷＮ「＃Ａ１」を設定する。次に、取得部８０２は、ＷＷＮ「＃Ａ１」を含むＩｎｑｕｉｒｙ（Ｐａｇｅ８３ｈ）コマンドを、移行元ＲＡＩＤ装置＃Ｓに発行する。そして、取得部８０２は、移行元ＲＡＩＤ装置＃ＳからレスポンスとなるＩｎｑｕｉｒｙデータを取得する。これにより、取得部８０２は、ホスト固有設定情報の特定に使用するＩｎｑｕｉｒｙデータを取得することができる。
【００９０】
この場合、設定部８０３は、例えば、Ｉｎｑｕｉｒｙデータから、移行元ＲＡＩＤ装置＃Ｓにおいて設定されていた移行元ＲＡＩＤ装置＃Ｓの装置情報の形式（以下の説明では、「ＶＰＤ  ＩＤ  Ｔｙｐｅ」と表記する場合がある）を特定する。そして、設定部８０３は、ホスト固有設定テーブル７００のＩｎｑｕｉｒｙ  ＶＰＤ  ＩＤ  Ｔｙｐｅ項目に、特定したＶＰＤ  ＩＤ  Ｔｙｐｅを設定する。これにより、移行先ＲＡＩＤ装置＃Ｄは、ホスト装置＃ＡからＩｎｑｕｉｒｙ（Ｐａｇｅ８３ｈ）コマンドが発行された場合に、設定したＶＰＤ  ＩＤ  Ｔｙｐｅに従って、移行先ＲＡＩＤ装置＃Ｄの装置情報を含むＩｎｑｕｉｒｙデータを生成することができる。そして、移行先ＲＡＩＤ装置＃Ｄは、生成したＩｎｑｕｉｒｙデータをホスト装置＃Ａに送信することができる。
【００９１】
また、取得部８０２は、例えば、ホスト装置＃ＡのＷＷＮ「＃Ａ１」を用いて、移行元ＲＡＩＤ装置＃Ｓとホスト装置＃Ａとの通信に用いられる通信経路の経路情報を要求するコマンドを移行元ＲＡＩＤ装置＃Ｓに発行してもよい。そして、取得部８０２は、コマンドに対するレスポンスを移行元ＲＡＩＤ装置＃Ｓから取得する。ここで、通信経路の経路情報とは、通信経路の使用方法を示す情報であって、例えば、移行元ＲＡＩＤ装置＃Ｓからホスト装置＃Ａまでの通信経路が複数ある場合に、どの通信経路をデータの送受信に使用するかを示す情報である。
【００９２】
取得部８０２は、より具体的には、自装置内のイニシエーターポートにホスト装置＃ＡのＷＷＮ「＃Ａ１」を設定する。次に、取得部８０２は、ＷＷＮ「＃Ａ１」を含むＲｅｐｏｒｔ  Ｔａｒｇｅｔ  Ｐｏｒｔ  Ｇｒｏｕｐｓコマンドを、移行元ＲＡＩＤ装置＃Ｓに発行する。そして、取得部８０２は、移行元ＲＡＩＤ装置＃ＳからレスポンスとなるＡｓｙｍｍｅｔｒｉｃ  Ａｃｃｅｓｓ  Ｓｔａｔｅデータを取得する。これにより、取得部８０２は、ホスト固有設定情報の特定に使用するＡｓｙｍｍｅｔｒｉｃ  Ａｃｃｅｓｓ  Ｓｔａｔｅデータを取得することができる。
【００９３】
この場合、設定部８０３は、例えば、Ａｓｙｍｍｅｔｒｉｃ  Ａｃｃｅｓｓ  Ｓｔａｔｅデータから、移行元ＲＡＩＤ装置＃Ｓにおいて設定されていた通信経路の使用方法を特定する。そして、設定部８０３は、ホスト固有設定テーブル７００のＡｓｙｍｍｅｔｒｉｃ／Ｓｙｍｍｅｔｒｉｃ  Ｌｏｇｉｃａｌ  Ｕｎｉｔ  Ａｃｃｅｓｓ項目に、特定した通信経路の使用方法を設定する。これにより、移行先ＲＡＩＤ装置＃Ｄは、設定した通信経路の使用方法に従って、ホスト装置＃Ａに対してデータを送受信することができる。
【００９４】
また、取得部８０２は、例えば、記憶部８０１に記憶されている他の識別情報を用いて、上述したコマンドを移行元ＲＡＩＤ装置＃Ｓに発行してもよい。そして、取得部８０２は、コマンドに対するレスポンスを移行元ＲＡＩＤ装置＃Ｓから取得する。コマンドとは、例えば、上述したＩｎｑｕｉｒｙ（Ｓｔａｎｄａｒｄ）コマンド、Ｉｎｑｕｉｒｙ（Ｐａｇｅ８３ｈ）コマンド、およびＲｅｐｏｒｔ  Ｔａｒｇｅｔ  Ｐｏｒｔ  Ｇｒｏｕｐｓコマンドである。
【００９５】
取得部８０２は、より具体的には、自装置内のイニシエーターポートに自装置のＷＷＮ「＃Ｎ」を設定する。次に、取得部８０２は、ＷＷＮ「＃Ｎ」を含むＩｎｑｕｉｒｙ（Ｓｔａｎｄａｒｄ）コマンドを、移行元ＲＡＩＤ装置＃Ｓに発行する。そして、取得部８０２は、移行元ＲＡＩＤ装置＃ＳからレスポンスとなるＩｎｑｕｉｒｙデータを取得する。これにより、取得部８０２は、セキュリティ許可外の装置からＩｎｑｕｉｒｙ（Ｓｔａｎｄａｒｄ）コマンドが発行された場合のレスポンスとなるＩｎｑｕｉｒｙデータを取得することができる。
【００９６】
この場合、設定部８０３は、例えば、取得部８０２によって自装置のＷＷＮ「＃Ｎ」を含むＩｎｑｕｉｒｙ（Ｓｔａｎｄａｒｄ）コマンドが発行された結果として取得部８０２によって取得されたＩｎｑｕｉｒｙデータのＢｙｔｅ  ０部分のデータを取得する。次に、設定部８０３は、取得したＢｙｔｅ  ０部分のデータを、移行元ＲＡＩＤ装置＃Ｓにおいてセキュリティ許可外の装置からコマンドが発行された場合のホスト固有設定情報として設定されていたデータであると特定する。そして、設定部８０３は、ホスト固有設定テーブル７００のＢｙｔｅ  ０  ｏｆ  Ｉｎｑｕｉｒｙ  Ｒｅｓｐｏｎｓｅ（セキュリティ許可外）項目に、抽出したデータを設定する。
【００９７】
これにより、移行先ＲＡＩＤ装置＃Ｄは、セキュリティ許可外の装置から自装置にＩｎｑｕｉｒｙ（Ｓｔａｎｄａｒｄ）コマンドが発行された場合に、設定したホスト固有設定情報を含むＩｎｑｕｉｒｙデータを生成することができる。そして、移行先ＲＡＩＤ装置＃Ｄは、生成したＩｎｑｕｉｒｙデータをセキュリティ許可外の装置に送信することができる。従って、移行先ＲＡＩＤ装置＃Ｄは、移行元ＲＡＩＤ装置＃Ｓと同様のレスポンスをセキュリティ許可外の装置に送信することができる。
【００９８】
また、取得部８０２は、例えば、移行元ＲＡＩＤ装置＃Ｓの記憶領域のうちの所定の記憶領域がホスト装置＃Ａによってリザーブされている場合に、当該記憶領域を含む記憶装置が使用可能か否かを問い合わせるコマンドを移行元ＲＡＩＤ装置＃Ｓに発行してもよい。当該コマンドは、例えば、自装置のＷＷＮ「＃Ｎ１」を用いて発行される。そして、取得部８０２は、コマンドに対するレスポンスを移行元ＲＡＩＤ装置＃Ｓから取得する。ここで、所定の記憶領域とは、例えば、移行元ＲＡＩＤ装置＃Ｓの論理ボリュームである。記憶領域を含む記憶装置とは、例えば、論理ボリュームを実現するデバイス（例えば、ディスク装置３２０）である。
【００９９】
取得部８０２は、より具体的には、自装置内のイニシエーターポートにホスト装置＃ＡのＷＷＮ「＃Ａ１」を設定する。次に、取得部８０２は、ＷＷＮ「＃Ａ１」を含むＲｅｓｅｒｖｅコマンドを、移行元ＲＡＩＤ装置＃Ｓに発行する。これにより、移行元ＲＡＩＤ装置＃Ｓは、ホスト装置＃Ａによってリザーブされる。次に、取得部８０２は、自装置内のイニシエーターポートに自装置のＷＷＮ「＃Ｎ」を設定する。そして、取得部８０２は、ＷＷＮ「＃Ｎ」を含むＴｅｓｔ  Ｕｎｉｔ  Ｒｅａｄｙコマンドを、移行元ＲＡＩＤ装置＃Ｓに発行する。次に、取得部８０２は、移行元ＲＡＩＤ装置＃Ｓからレスポンスを取得する。
【０１００】
これにより、設定部８０３は、ホスト装置＃Ａによってリザーブされた論理ボリュームについて、他の装置からＴｅｓｔ  Ｕｎｉｔ  Ｒｅａｄｙコマンドが発行された場合に、Ｒｅｓｅｒｖａｔｉｏｎ  Ｃｏｎｆｌｉｃｔを送信するか否かを特定することができる。
【０１０１】
この場合、設定部８０３は、例えば、取得部８０２によってＲｅｓｅｒｖａｔｉｏｎ  Ｃｏｎｆｌｉｃｔが取得されたか否かを判定する。次に、設定部８０３は、判定結果に基づいて、ホスト装置＃Ａによってリザーブされた論理ボリュームについて、他の装置からＴｅｓｔ  Ｕｎｉｔ  Ｒｅａｄｙコマンドが発行された場合に、Ｒｅｓｅｒｖａｔｉｏｎ  Ｃｏｎｆｌｉｃｔを送信するか否かを特定する。そして、設定部８０３は、ホスト固有設定テーブル７００のＲｅｓｅｒｖａｔｉｏｎ  Ｃｏｎｆｌｉｃｔ  Ｒｅｓｐｏｎｓｅ  ｆｏｒ  Ｔｅｓｔ  Ｕｎｉｔ  Ｒｅａｄｙ項目に、Ｒｅｓｅｒｖａｔｉｏｎ  Ｃｏｎｆｌｉｃｔを送信するか否かを示す情報を設定する。
【０１０２】
例えば、ホスト装置＃Ａによって移行先ＲＡＩＤ装置＃Ｄの論理ボリュームがリザーブされた後に、ホスト装置＃Ａ以外の装置から移行先ＲＡＩＤ装置＃Ｄに当該ボリュームについてのＴｅｓｔ  Ｕｎｉｔ  Ｒｅａｄｙコマンドが発行される場合がある。この場合、移行先ＲＡＩＤ装置＃Ｄは、ホスト装置＃Ａ以外の装置に、Ｒｅｓｅｒｖａｔｉｏｎ  Ｃｏｎｆｌｉｃｔを送信するか否かを特定することができる。
【０１０３】
＜移行先ＲＡＩＤ装置＃Ｄによるデータの移行＞
また、移行先ＲＡＩＤ装置＃Ｄは、記憶部８０１と取得部８０２と設定部８０３とによって、移行元ＲＡＩＤ装置＃Ｓから自装置へのデータの移行処理を実現してもよい。以下では、記憶部８０１と取得部８０２と設定部８０３とによって実現されるデータの移行処理の具体例について説明する。ここでは、記憶部８０１の機能については、上述した機能と同様のため説明を省略する。
【０１０４】
取得部８０２は、例えば、ホスト装置＃ＡのＷＷＮ「＃Ａ」を用いて、ホスト装置＃Ａに割り当てられた論理ボリュームに記憶されているデータを要求するコマンドを移行元ＲＡＩＤ装置＃Ｓに発行する。そして、取得部８０２は、コマンドに対するレスポンスを移行元ＲＡＩＤ装置＃Ｓから取得する。
【０１０５】
取得部８０２は、より具体的には、移行設定ファイル４００の中から移行元ＲＡＩＤ装置＃Ｓを使用していたホスト装置＃ＡのＷＷＮ「＃Ａ１」を抽出し、自装置内のイニシエーターポートにホスト装置＃ＡのＷＷＮ「＃Ａ１」を設定する。次に、取得部８０２は、移行設定ファイル４００を参照して、移行元ＲＡＩＤ装置＃Ｓにおいてホスト装置＃Ａに割り当てられた論理ボリュームを特定する。
【０１０６】
そして、取得部８０２は、ＷＷＮ「＃Ａ１」を含み、特定した論理ボリュームを指定する情報を含み、特定した論理ボリュームに記憶されているデータを要求するコマンドを、移行元ＲＡＩＤ装置＃Ｓに発行する。これにより、移行元ＲＡＩＤ装置＃Ｓは、移行元ＲＡＩＤ装置＃Ｓにおいてホスト装置＃Ａに割り当てられた論理ボリュームに記憶されているデータを含むレスポンスを移行先ＲＡＩＤ装置＃Ｄに送信する。
【０１０７】
そして、取得部８０２は、移行元ＲＡＩＤ装置＃Ｓから、移行元ＲＡＩＤ装置＃Ｓにおいてホスト装置＃Ａに割り当てられた論理ボリュームに記憶されているデータを含むレスポンスを取得する。これにより、設定部８０３は、取得部８０２によって取得されたレスポンスから、移行元ＲＡＩＤ装置＃Ｓにおいてホスト装置＃Ａに割り当てられた記憶領域に記憶されているデータを抽出して、自装置に移行することができる。
【０１０８】
設定部８０３は、取得部８０２によって取得されたレスポンスに含まれるデータを、自装置の記憶領域のうちのホスト装置＃Ａに割り当てられた記憶領域に書き込む。設定部８０３は、例えば、移行設定ファイル４００を参照して、取得部８０２によって取得されたレスポンスに含まれるデータが記憶されていた移行元ＲＡＩＤ装置＃Ｓの論理ボリュームに対応し、ホスト装置＃Ａに割り当てる自装置の論理ボリュームを特定する。そして、設定部８０３は、取得部８０２によって取得されたレスポンスに含まれるデータを、特定した論理ボリュームに書き込む。これにより、設定部８０３は、移行元ＲＡＩＤ装置＃Ｓから自装置にデータを移行することができる。
【０１０９】
（移行先ＲＡＩＤ装置＃Ｄによるホスト固有設定情報の設定の具体例）
次に、図９〜図１６を用いて、移行先ＲＡＩＤ装置＃Ｄによるホスト固有設定情報の設定の具体例について説明する。
【０１１０】
図９〜図１６は、移行先ＲＡＩＤ装置＃Ｄによるホスト固有設定情報の設定の具体例を示す説明図である。まず、図９に、移行先ＲＡＩＤ装置＃Ｄによるホスト固有設定情報の設定前のストレージシステム２００について示す。
【０１１１】
図９において、移行元ＲＡＩＤ装置＃Ｓは、ネットワーク２１０を介して、ホスト装置＃Ａやホスト装置＃Ｂと接続されている。移行元ＲＡＩＤ装置＃Ｓは、自装置内の論理ボリュームＶｏｌ＃０，Ｖｏｌ＃１をホスト装置＃Ａに割り当てている。移行元ＲＡＩＤ装置＃Ｓは、自装置内の論理ボリュームＶｏｌ＃２，Ｖｏｌ＃３をホスト装置＃Ｂに割り当てている。次に、図１０に、作業者による移行元ＲＡＩＤ装置＃Ｓを移行先ＲＡＩＤ装置＃Ｄに交換するリプレイス作業の準備について示す。
【０１１２】
図１０において、作業者は、リプレイス作業のために、移行元ＲＡＩＤ装置＃Ｓの論理ボリュームＶｏｌ＃０〜Ｖｏｌ＃３に記憶されているデータの移行先となる論理ボリュームＶｏｌ＃４〜＃７を、移行先ＲＡＩＤ装置＃Ｄに形成させる。次に、作業者は、移行元ＲＡＩＤ装置＃Ｓとホスト装置＃Ａ，＃Ｂとの接続を切断して、移行元ＲＡＩＤ装置＃Ｓと移行先ＲＡＩＤ装置＃Ｄとを接続する。そして、作業者は、ストレージ装置１０２に設定処理の開始指示を入力する。
【０１１３】
ここで、移行先ＲＡＩＤ装置＃Ｄは、ホスト装置＃Ａのデータ移行に関する情報と、ホスト装置＃Ｂのデータ移行に関する情報と、を含む移行設定ファイル４００を記憶している。移行設定ファイル４００は、例えば、作業者によって入力される。次に、図１１〜図１６に、ホスト固有設定情報の設定の流れについて示す。
【０１１４】
図１１において、（１１）移行先ＲＡＩＤ装置＃Ｄは、移行設定ファイル４００を参照して、ホスト装置＃Ａに割り当てる論理ボリュームＶｏｌ＃４，Ｖｏｌ＃５を特定して、特定した論理ボリュームの識別子をＬＵＮマスキングテーブル６００に記憶する。これにより、移行先ＲＡＩＤ装置＃Ｄは、ＬＵＮマスキングテーブル６００を参照して、ホスト装置＃Ａが論理ボリューム＃４，＃５にアクセス可能なように制御することができる。また、移行先ＲＡＩＤ装置＃Ｄは、ホスト装置＃Ａ以外のホストが論理ボリューム＃４，＃５にアクセス不可能なように制御することができる。
【０１１５】
（１２）移行先ＲＡＩＤ装置＃Ｄは、移行設定ファイル４００を参照して、ホスト装置＃ＡのＷＷＮを特定して、自装置の各ポートに設定するＷＷＮをホストテーブル５００に記憶する。これにより、移行先ＲＡＩＤ装置＃Ｄは、ホストテーブル５００を参照して、ホスト装置＃ＡとしてＳＣＳＩコマンドを発行することができる。次に、図１２の説明に移行する。
【０１１６】
図１２において、（１３）移行先ＲＡＩＤ装置＃Ｄは、Ｉｎｑｕｉｒｙ（Ｓｔａｎｄａｒｄ）コマンドを移行元ＲＡＩＤ装置＃Ｓに発行する。（１４）移行元ＲＡＩＤ装置＃Ｓは、Ｉｎｑｕｉｒｙ（Ｓｔａｎｄａｒｄ）コマンドに対するレスポンスとして、Ｉｎｑｕｉｒｙデータを移行先ＲＡＩＤ装置＃Ｄに送信する。
【０１１７】
（１５）移行先ＲＡＩＤ装置＃Ｄは、ＩｎｑｕｉｒｙデータのＢｙｔｅ  ０部分のデータ「００ｈ」を抽出する。ここで、ｈは、「００」が１６進数表記であることを示す接尾語である。従って、Ｂｙｔｅ  ０部分のデータ「００ｈ」は、Ｐｅｒｉｐｈｅｒａｌ  Ｑｕａｌｉｆｉｅｒ「０００」と、Ｐｅｒｉｐｈｅｒａｌ  Ｄｅｖｉｃｅ  Ｔｙｐｅ「０００００」と、の結合データを示す。
【０１１８】
そして、移行先ＲＡＩＤ装置＃Ｄは、抽出した「００ｈ」をホスト固有設定テーブル７００のＢｙｔｅ  ０  ｏｆ  Ｉｎｑｕｉｒｙ  Ｒｅｓｐｏｎｓｅ（セキュリティ許可内）項目に記憶する。また、移行先ＲＡＩＤ装置＃Ｄは、ＩｎｑｕｉｒｙデータのＡＮＳＩ  Ｖｅｒｓｉｏｎ部分「５」を抽出して、抽出した「５」をホスト固有設定テーブル７００のＩｎｑｕｉｒｙ  Ｓｔａｎｄａｒｄ  Ｄａｔａ  Ｖｅｒｓｉｏｎ項目に記憶する。次に、図１３の説明に移行する。
【０１１９】
図１３において、（１６）移行先ＲＡＩＤ装置＃Ｄは、Ｉｎｑｕｉｒｙ（Ｐａｇｅ８３ｈ）コマンドを移行元ＲＡＩＤ装置＃Ｓに発行する。（１７）移行元ＲＡＩＤ装置＃Ｓは、Ｉｎｑｕｉｒｙ（Ｐａｇｅ８３ｈ）コマンドに対するレスポンスとして、Ｉｎｑｕｉｒｙデータを移行先ＲＡＩＤ装置＃Ｄに送信する。
【０１２０】
（１８）移行先ＲＡＩＤ装置＃Ｄは、ＩｎｑｕｉｒｙデータのＶＰＤ  ＩＤ  Ｔｙｐｅ「Ｔｙｐｅ３」を特定して、特定した「Ｔｙｐｅ３」をホスト固有設定テーブル７００のＩｎｑｕｉｒｙ  ＶＰＤ  ＩＤ  Ｔｙｐｅ項目に記憶する。次に、図１４の説明に移行する。
【０１２１】
図１４において、（１９）移行先ＲＡＩＤ装置＃Ｄは、Ｒｅｐｏｒｔ  Ｔａｒｇｅｔ  Ｐｏｒｔ  Ｇｒｏｕｐｓコマンドを移行元ＲＡＩＤ装置＃Ｓに発行する。（２０）移行元ＲＡＩＤ装置＃Ｓは、Ｒｅｐｏｒｔ  Ｔａｒｇｅｔ  Ｐｏｒｔ  Ｇｒｏｕｐｓコマンドに対するレスポンスとして、Ａｓｙｍｍｅｔｒｉｃ  Ａｃｃｅｓｓ  Ｓｔａｔｅを移行先ＲＡＩＤ装置＃Ｄに送信する。
【０１２２】
（２１）移行先ＲＡＩＤ装置＃Ｄは、Ａｓｙｍｍｅｔｒｉｃ  Ａｃｃｅｓｓ  Ｓｔａｔｅが示す経路情報「Ａｃｔｉｖｅ／Ｐａｓｓｉｖｅ」を特定する。そして、移行先ＲＡＩＤ装置＃Ｄは、特定した「Ａｃｔｉｖｅ／Ｐａｓｓｉｖｅ」をホスト固有設定テーブル７００のＡｓｙｍｍｅｔｒｉｃ／Ｓｙｍｍｅｔｒｉｃ  Ｌｏｇｉｃａｌ  Ｕｎｉｔ  Ａｃｃｅｓｓ項目に記憶する。次に、図１５の説明に移行する。
【０１２３】
図１５において、（２２）移行先ＲＡＩＤ装置＃Ｄは、Ｒｅｓｅｒｖｅコマンドを移行元ＲＡＩＤ装置＃Ｓに発行する。これにより、移行元ＲＡＩＤ装置＃Ｓは、ホスト装置＃ＡによってＲｅｓｅｒｖｅされる。
【０１２４】
（２３）移行先ＲＡＩＤ装置＃Ｄは、ポートＰ＃０に自装置のＷＷＮ「＃Ｎ１」を設定する。（２４）移行先ＲＡＩＤ装置＃Ｄは、Ｔｅｓｔ  Ｕｎｉｔ  Ｒｅａｄｙコマンドを移行元ＲＡＩＤ装置＃Ｓに発行する。（２５）移行元ＲＡＩＤ装置＃Ｓは、Ｔｅｓｔ  Ｕｎｉｔ  Ｒｅａｄｙコマンドに対するレスポンスを移行先ＲＡＩＤ装置＃Ｄに送信する。
【０１２５】
（２６）移行先ＲＡＩＤ装置＃Ｄは、レスポンスがＲｅｓｅｒｖａｔｉｏｎ  Ｃｏｎｆｌｉｃｔであるか否かを特定する。ここで、Ｒｅｓｅｒｖａｔｉｏｎ  Ｃｏｎｆｌｉｃｔが特定される場合がある。この場合、移行先ＲＡＩＤ装置＃Ｄは、「Ｃｏｎｆｌｉｃｔ」をホスト固有設定テーブル７００のＲｅｓｅｒｖａｔｉｏｎ  Ｃｏｎｆｌｉｃｔ  Ｒｅｓｐｏｎｓｅ  ｆｏｒ  Ｔｅｓｔ  Ｕｎｉｔ  Ｒｅａｄｙ項目に記憶する。次に、図１６の説明に移行する。
【０１２６】
図１６において、（２７）移行先ＲＡＩＤ装置＃Ｄは、Ｉｎｑｕｉｒｙ（Ｓｔａｎｄａｒｄ）コマンドを移行元ＲＡＩＤ装置＃Ｓに発行する。（２８）移行元ＲＡＩＤ装置＃Ｓは、Ｉｎｑｕｉｒｙ（Ｓｔａｎｄａｒｄ）コマンドに対するレスポンスとして、Ｉｎｑｕｉｒｙデータを移行先ＲＡＩＤ装置＃Ｄに送信する。
【０１２７】
（２９）移行先ＲＡＩＤ装置＃Ｄは、ＩｎｑｕｉｒｙデータのＢｙｔｅ  ０部分のデータ「３ｆｈ」を抽出する。そして、移行先ＲＡＩＤ装置＃Ｄは、抽出した「３ｆｈ」をホスト固有設定テーブル７００のＢｙｔｅ  ０  ｏｆ  Ｉｎｑｕｉｒｙ  Ｒｅｓｐｏｎｓｅ（セキュリティ許可外）項目に記憶する。これにより、移行先ＲＡＩＤ装置＃Ｄは、移行元ＲＡＩＤ装置＃Ｓに設定されていたホスト固有設定情報を自装置に設定することができる。
【０１２８】
また、移行先ＲＡＩＤ装置＃Ｄは、移行設定ファイル４００を参照して、データを移行する移行元ＲＡＩＤ装置＃Ｓの論理ボリュームと、データが移行される移行先ＲＡＩＤ装置＃Ｄの論理ボリュームとを特定する。次に、移行先ＲＡＩＤ装置＃Ｄは、接続ホスト装置＃ＡのＷＷＮ「＃Ａ」を用いて、特定した移行元ＲＡＩＤ装置＃Ｓの論理ボリュームのデータを要求するコマンドを、移行元ＲＡＩＤ装置＃Ｓに発行する。そして、移行先ＲＡＩＤ装置＃Ｄは、移行元ＲＡＩＤ装置＃Ｓからのレスポンスに含まれるデータを、特定した移行先ＲＡＩＤ装置＃Ｄの論理ボリュームに書き込む。これにより、移行先ＲＡＩＤ装置＃Ｄは、データの移行を自動化することができる。
【０１２９】
その後、作業者は、移行元ＲＡＩＤ装置＃Ｓと移行先ＲＡＩＤ装置＃Ｄとの接続を切断し、移行先ＲＡＩＤ装置＃Ｄをホスト装置＃Ａに接続する。そして、移行先ＲＡＩＤ装置＃Ｄは、ホスト装置＃Ａからコマンドが発行された場合、移行したホスト固有設定情報を参照して、ホスト装置＃Ａにレスポンスを送信する。
【０１３０】
例えば、ホスト装置＃Ａからホスト装置＃ＡのＷＷＮ「＃Ａ１」を含み、論理ボリュームＶｏｌ＃４に記憶されているデータを要求するコマンドが発行される場合がある。この場合、移行先ＲＡＩＤ装置＃Ｄは、ホストテーブル５００を参照して、ＷＷＮ「＃Ａ１」に対応するＬＵＮマスキングテーブルＮｏ項目の番号を特定する。
【０１３１】
次に、移行先ＲＡＩＤ装置＃Ｄは、特定した番号のＬＵＮマスキングテーブル６００を参照して、ホスト装置＃Ａに使用させる論理ボリュームＶｏｌ＃４，Ｖｏｌ＃５を特定する。そして、移行先ＲＡＩＤ装置＃Ｄは、論理ボリュームＶｏｌ＃４がホスト装置＃Ａに使用させている論理ボリュームであるため、コマンドに従って論理ボリュームＶｏｌ＃４のデータをレスポンスとして移行元ＲＡＩＤ装置＃Ｓに送信する。
【０１３２】
また、例えば、ホスト装置＃Ａからホスト装置＃ＡのＷＷＮ「＃Ａ１」を含み、論理ボリュームＶｏｌ＃４の装置情報を要求するコマンドが発行される場合がある。この場合、移行先ＲＡＩＤ装置＃Ｄは、ホストテーブル５００を参照して、ＷＷＮ「＃Ａ１」に対応するＬＵＮマスキングテーブルＮｏ項目の番号を特定する。次に、移行先ＲＡＩＤ装置＃Ｄは、特定した番号のＬＵＮマスキングテーブル６００を参照して、ホスト装置＃Ａに使用させる論理ボリュームＶｏｌ＃４，Ｖｏｌ＃５を特定する。
【０１３３】
そして、移行先ＲＡＩＤ装置＃Ｄは、論理ボリュームＶｏｌ＃４がホスト装置＃Ａに使用させている論理ボリュームであるため、ホストテーブル５００を参照して、ＷＷＮ「＃Ａ１」に対応するホスト固有設定テーブルＮｏ項目の番号を特定する。次に、移行先ＲＡＩＤ装置＃Ｄは、特定した番号のホスト固有設定テーブル７００を参照して、コマンドに従って論理ボリュームＶｏｌ＃４の装置情報を含むレスポンスを移行元ＲＡＩＤ装置＃Ｓに送信する。
【０１３４】
（移行先ＲＡＩＤ装置＃Ｄによる移行処理）
次に、図１７を用いて、移行先ＲＡＩＤ装置＃Ｄによる移行処理の処理手順の一例について説明する。移行処理は、図９〜図１６に示した移行先ＲＡＩＤ装置＃Ｄによるホスト固有設定情報の設定を実現する処理である。
【０１３５】
図１７は、移行先ＲＡＩＤ装置＃Ｄによる移行処理の処理手順の一例を示すフローチャートである。図１７において、まず、移行先ＲＡＩＤ装置＃Ｄは、自装置内のポートをイニシエーターモードに設定する（ステップＳ１７０１）。
【０１３６】
次に、移行先ＲＡＩＤ装置＃Ｄは、移行設定ファイル４００を参照して、自装置のポートに、複数のホストの中のいずれかのホストのＷＷＮを設定する（ステップＳ１７０２）。そして、移行先ＲＡＩＤ装置＃Ｄは、移行設定ファイル４００を参照して、移行元ＲＡＩＤ装置＃Ｓが記憶しているデータを要求するコマンドを移行元ＲＡＩＤ装置＃Ｓに発行することにより、データを移行する（ステップＳ１７０３）。
【０１３７】
次に、移行先ＲＡＩＤ装置＃Ｄは、データの移行が終了したか否かを判定する（ステップＳ１７０４）。ここで、終了していない場合（ステップＳ１７０４：Ｎｏ）、移行先ＲＡＩＤ装置＃Ｄは、ステップＳ１７０３に戻る。
【０１３８】
一方、終了した場合（ステップＳ１７０４：Ｙｅｓ）、移行先ＲＡＩＤ装置＃Ｄは、移行元ＲＡＩＤ装置＃Ｓに各種コマンドを発行した場合のレスポンスに基づいて、ホスト固有設定情報を作成する（ステップＳ１７０５）。次に、移行先ＲＡＩＤ装置＃Ｄは、作成したホスト固有設定情報を、ホスト固有設定テーブル７００に設定する（ステップＳ１７０６）。
【０１３９】
そして、移行先ＲＡＩＤ装置＃Ｄは、全てのホストのデータの移行が終了したか否かを判定する（ステップＳ１７０７）。ここで、移行が終了していないホストのデータがある場合（ステップＳ１７０７：Ｎｏ）、移行先ＲＡＩＤ装置＃Ｄは、自装置のポートに、未設定のホストのＷＷＮを設定し（ステップＳ１７０８）、ステップＳ１７０２に戻る。
【０１４０】
一方、全てのホストのデータの移行が終了した場合（ステップＳ１７０７：Ｙｅｓ）、移行先ＲＡＩＤ装置＃Ｄは、自装置内のポートに設定したイニシエーターモードを切断して（ステップＳ１７０９）、移行処理を終了する。
【０１４１】
これにより、移行先ＲＡＩＤ装置＃Ｄは、自装置にホスト固有設定情報を設定することができる。その後、作業者は、移行先ＲＡＩＤ装置＃Ｄをホスト装置＃Ａに接続する。これにより、ホスト装置＃Ａは、移行元ＲＡＩＤ装置＃Ｓと同様に、移行先ＲＡＩＤ装置＃Ｄを使用することができる。
【０１４２】
（ホスト固有設定テーブル７００の設定処理）
次に、図１８を用いて、ステップＳ１７０５，Ｓ１７０６において実行されるホスト固有設定テーブル７００の設定処理について説明する。
【０１４３】
図１８は、ホスト固有設定テーブル７００の設定処理の処理手順の一例を示すシーケンス図である。図１８では、Ｉｎｑｕｉｒｙを「Ｉｎｑ」と表記する場合がある。また、図１８では、Ａｓｙｍｍｅｔｒｉｃ／Ｓｙｍｍｅｔｒｉｃ  Ｌｏｇｉｃａｌ  Ｕｎｉｔ  Ａｃｃｅｓｓを、「Ａｓｙ／Ｓｙｍ  ＬＵ  Ａｃｃｅｓｓ」と表記する場合がある。また、図１８では、Ｒｅｓｅｒｖａｔｉｏｎ  Ｃｏｎｆｌｉｃｔ  Ｒｅｓｐｏｎｓｅ  ｆｏｒ  Ｔｅｓｔ  Ｕｎｉｔ  Ｒｅａｄｙを「Ｒｓｖ  Ｃｏｎｆｌｉｃｔ  Ｒｅｓｐ  ｆｏｒ  ＴＵＲ」と表記する場合がある。
【０１４４】
図１８において、移行先ＲＡＩＤ装置＃Ｄは、Ｉｎｑｕｉｒｙ（Ｓｔａｎｄａｒｄ）コマンドを移行元ＲＡＩＤ装置＃Ｓに発行する（ステップＳ１８０１）。移行元ＲＡＩＤ装置＃Ｓは、Ｉｎｑｕｉｒｙ（Ｓｔａｎｄａｒｄ）コマンドを受け付けると、Ｉｎｑｕｉｒｙデータを移行先ＲＡＩＤ装置＃Ｄに送信する（ステップＳ１８０２）。
【０１４５】
次に、移行先ＲＡＩＤ装置＃Ｄは、Ｉｎｑｕｉｒｙ（Ｐａｇｅ８３ｈ）コマンドを移行元ＲＡＩＤ装置＃Ｓに発行する（ステップＳ１８０３）。移行元ＲＡＩＤ装置＃Ｓは、Ｉｎｑｕｉｒｙ（Ｐａｇｅ８３ｈ）コマンドを受け付けると、ＶＰＤ  ＩＤ  Ｔｙｐｅを含むレスポンスを移行先ＲＡＩＤ装置＃Ｄに送信する（ステップＳ１８０４）。
【０１４６】
次に、移行先ＲＡＩＤ装置＃Ｄは、Ｒｅｐｏｒｔ  Ｔａｒｇｅｔ  Ｐｏｒｔ  Ｇｒｏｕｐｓコマンドを移行元ＲＡＩＤ装置＃Ｓに発行する（ステップＳ１８０５）。移行元ＲＡＩＤ装置＃Ｓは、Ｒｅｐｏｒｔ  Ｔａｒｇｅｔ  Ｐｏｒｔ  Ｇｒｏｕｐｓコマンドを受け付けると、Ａｓｙ／Ｓｙｍ  ＬＵ  Ａｃｃｅｓｓを含むレスポンスを移行先ＲＡＩＤ装置＃Ｄに送信する（ステップＳ１８０６）。
【０１４７】
次に、移行先ＲＡＩＤ装置＃Ｄは、Ｒｅｓｅｒｖｅコマンドを移行元ＲＡＩＤ装置＃Ｓに発行する（ステップＳ１８０７）。移行元ＲＡＩＤ装置＃Ｓは、Ｒｅｓｅｒｖｅコマンドを受け付けると、Ｒｅｓｅｒｖｅされたことを示すレスポンスを移行先ＲＡＩＤ装置＃Ｄに送信する（ステップＳ１８０８）。次に、移行先ＲＡＩＤ装置＃Ｄは、ポートにセキュリティ許可外の装置のＷＷＮを設定する（ステップＳ１８０９）。
【０１４８】
次に、移行先ＲＡＩＤ装置＃Ｄは、Ｔｅｓｔ  Ｕｎｉｔ  Ｒｅａｄｙコマンドを移行元ＲＡＩＤ装置＃Ｓに発行する（ステップＳ１８１０）。移行元ＲＡＩＤ装置＃Ｓは、Ｔｅｓｔ  Ｕｎｉｔ  Ｒｅａｄｙコマンドを受け付けると、Ｒｓｖ  Ｃｏｎｆｌｉｃｔ  Ｒｅｓｐ  ｆｏｒ  ＴＵＲを含むレスポンスを移行先ＲＡＩＤ装置＃Ｄに送信する（ステップＳ１８１１）。
【０１４９】
次に、移行先ＲＡＩＤ装置＃Ｄは、Ｉｎｑｕｉｒｙ（Ｓｔａｎｄａｒｄ）コマンドを移行元ＲＡＩＤ装置＃Ｓに発行する（ステップＳ１８１２）。移行元ＲＡＩＤ装置＃Ｓは、Ｉｎｑｕｉｒｙ（Ｓｔａｎｄａｒｄ）コマンドを受け付けると、Ｉｎｑｕｉｒｙデータを移行先ＲＡＩＤ装置＃Ｄに送信する（ステップＳ１８１３）。
【０１５０】
次に、移行先ＲＡＩＤ装置＃Ｄは、ポートにステップＳ１８０９において変更する前のＷＷＮを設定する（ステップＳ１８１４）。そして、移行先ＲＡＩＤ装置＃Ｄは、移行設定ファイル４００を参照して、ＬＵＮマスキングテーブル６００を設定する（ステップＳ１８１５）。
【０１５１】
次に、移行先ＲＡＩＤ装置＃Ｄは、各々のレスポンスを参照して、ホスト固有設定情報を特定し、特定したホスト固有設定情報をホスト固有設定テーブル７００に設定する（ステップＳ１８１６）。そして、移行先ＲＡＩＤ装置＃Ｄは、設定処理を終了する。これにより、移行先ＲＡＩＤ装置＃Ｄは、ホスト固有設定テーブル７００を作成することができる。
【０１５２】
以上説明したように、実施の形態にかかる移行先ＲＡＩＤ装置＃Ｄによれば、ホスト装置の識別情報を用いて、ホスト装置からコマンドが発行された場合に移行元ＲＡＩＤ装置＃Ｓが出力するレスポンスを、移行元ＲＡＩＤ装置＃Ｓから取得することができる。また、移行先ＲＡＩＤ装置＃Ｄによれば、取得したレスポンスを用いて移行元ＲＡＩＤ装置＃Ｓに設定されているホスト固有設定情報を特定して、特定したホスト固有設定情報を自装置に設定することができる。
【０１５３】
これにより、移行先ＲＡＩＤ装置＃Ｄがホスト装置のふりをして移行元ＲＡＩＤ装置＃Ｓからホスト固有設定情報を取り出して、ホスト固有設定情報を自動設定することができる。この結果、リプレイス作業時の作業者の作業負荷を低減させるとともに、パラメータ情報の誤設定を防ぐことができ、リプレイス作業の効率化を図ることができる。
【０１５４】
また、作業者は、ホスト固有設定情報の設定に関する作業に詳しくなくても、移行先ＲＡＩＤ装置＃Ｄに設定処理の開始指示を入力すれば、移行先ＲＡＩＤ装置＃Ｄにホスト固有設定情報を設定させることができる。また、移行元となるストレージ装置１０１には新しい機能を実装しなくてもよいため、移行元および移行先の両方のストレージ装置に自動設定用の機能を実装する場合に比べて、作業者の手間やコストを削減することができる。また、ホスト装置は、移行元ＲＡＩＤ装置＃Ｓと同様に、移行先ストレージ装置を使用することができる。
【０１５５】
また、移行先ＲＡＩＤ装置＃Ｄによれば、ホスト装置以外の他の装置の識別情報を用いて、他の装置からコマンドが発行された場合に移行元ＲＡＩＤ装置＃Ｓが出力するレスポンスを、移行元ＲＡＩＤ装置＃Ｓから取得することができる。また、移行先ＲＡＩＤ装置＃Ｄによれば、取得したレスポンスを用いて移行元ＲＡＩＤ装置＃Ｓに設定されているホスト固有設定情報を特定して、特定したホスト固有設定情報を自装置に設定することができる。これにより、移行先ＲＡＩＤ装置＃Ｄは、セキュリティ許可外の他の装置に応じたホスト固有設定情報を、自装置に設定することができる。
【０１５６】
また、移行先ＲＡＩＤ装置＃Ｄによれば、ホスト装置の識別情報を含むＩｎｑｕｉｒｙ（Ｓｔａｎｄａｒｄ）コマンドを移行元ＲＡＩＤ装置＃Ｓに発行することができる。これにより、移行先ＲＡＩＤ装置＃Ｄは、セキュリティ許可内の装置に送信するＩｎｑｕｉｒｙデータに書き込むホスト固有設定情報を特定することができる。
【０１５７】
また、移行先ＲＡＩＤ装置＃Ｄによれば、他の装置の識別情報を含むＩｎｑｕｉｒｙ（Ｓｔａｎｄａｒｄ）コマンドを移行元ＲＡＩＤ装置＃Ｓに発行することができる。これにより、移行先ＲＡＩＤ装置＃Ｄは、セキュリティ許可外の装置に送信するＩｎｑｕｉｒｙデータに書き込むホスト固有設定情報を特定することができる。
【０１５８】
また、移行先ＲＡＩＤ装置＃Ｄによれば、ホスト装置の識別情報を含むＩｎｑｕｉｒｙ（Ｐａｇｅ８３ｈ）コマンドを移行元ＲＡＩＤ装置＃Ｓに発行することができる。これにより、移行先ＲＡＩＤ装置＃Ｄは、ホスト固有設定情報としてＶＰＤ  Ｔｙｐｅを特定することができる。
【０１５９】
また、移行先ＲＡＩＤ装置＃Ｄによれば、ホスト装置の識別情報を含むＩｎｑｕｉｒｙ（Ｓｔａｎｄａｒｄ）コマンドを移行元ＲＡＩＤ装置＃Ｓに発行することができる。これにより、移行先ＲＡＩＤ装置＃Ｄは、ホスト固有設定情報としてＳＣＳＩの版数を特定することができる。
【０１６０】
また、移行先ＲＡＩＤ装置＃Ｄによれば、ホスト装置によっての識別情報を含むＲｅｓｅｒｖｅコマンドを移行元ＲＡＩＤ装置＃Ｓに発行することにより、移行元ＲＡＩＤ装置＃Ｓの論理ボリュームをＲｅｓｅｒｖｅすることができる。そして、移行先ＲＡＩＤ装置＃Ｄによれば、他の装置の識別情報を含むＴｅｓｔ  Ｕｎｉｔ  Ｒｅａｄｙコマンドを移行元ＲＡＩＤ装置＃Ｓに発行することができる。これにより、移行先ＲＡＩＤ装置＃Ｄは、自装置の論理ボリュームがＲｅｓｅｒｖｅされている場合に、レスポンスとしてＲｅｓｅｒｖａｔｉｏｎ  Ｃｏｎｆｌｉｃｔを送信するか否かを特定することができる。
【０１６１】
また、移行先ＲＡＩＤ装置＃Ｄによれば、ホスト装置の識別情報を含むＲｅｐｏｒｔ  Ｔａｒｇｅｔ  Ｐｏｒｔ  Ｇｒｏｕｐｓコマンドを移行元ＲＡＩＤ装置＃Ｓに発行することができる。これにより、移行先ＲＡＩＤ装置＃Ｄは、ホスト固有設定情報としてホスト装置への通信経路の使用方法を特定することができる。
【０１６２】
なお、本実施の形態で説明した設定方法は、予め用意されたプログラムをパーソナル・コンピュータやワークステーション等のコンピュータで実行することにより実現することができる。本設定プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本設定プログラムは、インターネット等のネットワークを介して配布してもよい。
【０１６３】
上述した実施の形態に関し、さらに以下の付記を開示する。
【０１６４】
（付記１）ネットワークを介して接続された移行元ストレージ装置に記憶されているデータの移行先となるストレージ装置において、
前記移行元ストレージ装置とネットワークを介して接続する情報処理装置の識別情報を記憶する記憶部と、
前記記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得する取得部と、
前記取得部によって取得された前記レスポンスに基づいて、前記コマンドに対応する前記情報処理装置に応じたパラメータ情報を、前記識別情報と関連付けて自装置に設定する設定部と、
を有することを特徴とするストレージ装置。
【０１６５】
（付記２）前記記憶部は、
前記識別情報とは異なる他の識別情報を記憶しており、
前記取得部は、
前記記憶部に記憶されている前記他の識別情報を用いて、前記コマンドを前記移行元ストレージ装置に発行して、前記コマンドに対するレスポンスを前記移行元ストレージ装置から取得し、
前記設定部は、
前記取得部によって取得された前記レスポンスに基づいて、前記コマンドに対応する前記情報処理装置とは異なる他の情報処理装置に応じたパラメータ情報を、前記識別情報と関連付けて前記自装置に設定することを特徴とする付記１に記載のストレージ装置。
【０１６６】
（付記３）前記取得部は、
前記識別情報を用いて、前記移行元ストレージ装置の記憶領域のうちの前記情報処理装置に割り当てられた記憶領域を含む記憶装置の装置情報を要求するコマンドを前記移行元ストレージ装置に発行して、前記コマンドに対するレスポンスを前記移行元ストレージ装置から取得することを特徴とする付記１または２に記載のストレージ装置。
【０１６７】
（付記４）前記取得部は、
前記識別情報を用いて、前記移行元ストレージ装置の記憶領域のうちの前記情報処理装置に割り当てられた記憶領域に記憶されているデータを要求するコマンドを前記移行元ストレージ装置に発行して、前記コマンドに対するレスポンスを前記移行元ストレージ装置から取得し、
前記設定部は、
前記取得部によって取得された前記レスポンスに含まれるデータを、前記自装置の記憶領域のうちの前記情報処理装置に割り当てられた記憶領域に書き込むことを特徴とする付記１〜３のいずれか一つに記載のストレージ装置。
【０１６８】
（付記５）前記取得部は、
前記識別情報を用いて、前記移行元ストレージ装置と前記情報処理装置との通信に用いられるインターフェースの規格情報を要求するコマンドを前記移行元ストレージ装置に発行して、前記コマンドに対するレスポンスを前記移行元ストレージ装置から取得することを特徴とする付記１〜４のいずれか一つに記載のストレージ装置。
【０１６９】
（付記６）前記取得部は、
前記識別情報を用いて、前記移行元ストレージ装置の装置情報を要求するコマンドを前記移行元ストレージ装置に発行して、前記コマンドに対するレスポンスを前記移行元ストレージ装置から取得することを特徴とする付記１〜５のいずれか一つに記載のストレージ装置。
【０１７０】
（付記７）前記取得部は、
前記識別情報を用いて、前記移行元ストレージ装置と前記情報処理装置との通信に用いられる通信経路の経路情報を要求するコマンドを前記移行元ストレージ装置に発行して、前記コマンドに対するレスポンスを前記移行元ストレージ装置から取得することを特徴とする付記１〜６のいずれか一つに記載のストレージ装置。
【０１７１】
（付記８）前記取得部は、
前記移行元ストレージ装置の記憶領域のうちの所定の記憶領域が前記情報処理装置によってリザーブされている場合に、前記他の識別情報を用いて、前記記憶領域を含む記憶装置が使用可能か否かを問い合わせるコマンドを前記移行元ストレージ装置に発行して、前記コマンドに対するレスポンスを前記移行元ストレージ装置から取得することを特徴とする付記２に記載のストレージ装置。
【０１７２】
（付記９）ネットワークを介して接続された移行元ストレージ装置に記憶されているデータの移行先となるストレージ装置が、
前記移行元ストレージ装置とネットワークを介して接続する情報処理装置の識別情報を記憶する記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得し、
取得した前記レスポンスに基づいて、前記コマンドに対応する前記情報処理装置に応じたパラメータ情報を、前記識別情報と関連付けて自装置に設定する、
処理を実行することを特徴とする設定方法。
【０１７３】
（付記１０）ネットワークを介して接続された移行元ストレージ装置に記憶されているデータの移行先となるストレージ装置に、
前記移行元ストレージ装置とネットワークを介して接続する情報処理装置の識別情報を記憶する記憶部に記憶されている前記識別情報を用いて、前記情報処理装置から前記移行元ストレージ装置に発行されるコマンドを前記移行元ストレージ装置に発行して、前記コマンドに対するレスポンスを前記移行元ストレージ装置から取得し、
取得した前記レスポンスに基づいて、前記コマンドに対応する前記情報処理装置に応じたパラメータ情報を、前記識別情報と関連付けて自装置に設定する、
処理を実行させることを特徴とする設定プログラム。
【符号の説明】
【０１７４】
１０１，１０２  ストレージ装置
＃Ｓ  移行元ＲＡＩＤ装置
＃Ｄ  移行先ＲＡＩＤ装置
８０１  記憶部
８０２  取得部
８０３  設定部
【図１】
2014071534.tif 000003
【図２】
2014071534.tif 000004
【図３】
2014071534.tif 000005
【図４】
2014071534.tif 000006
【図５】
2014071534.tif 000007
【図６】
2014071534.tif 000008
【図７】
2014071534.tif 000009
【図８】
2014071534.tif 000010
【図９】
2014071534.tif 000011
【図１０】
2014071534.tif 000012
【図１１】
2014071534.tif 000013
【図１２】
2014071534.tif 000014
【図１３】
2014071534.tif 000015
【図１４】
2014071534.tif 000016
【図１５】
2014071534.tif 000017
【図１６】
2014071534.tif 000018
【図１７】
2014071534.tif 000019
【図１８】
2014071534.tif 000020